(57)【要約】【課題】経験の乏しい検者が検眼を施す場合や検者がいないような場合においても、被検者の判断能力に関わらず高い測定精度で乱視軸角度測定や乱視度数測定を行うことが可能な検眼装置を提供する。【解決手段】クロスシリンダテストにおいて「同じ（＝）」が選択されると、（＝）が選択された回数をカウントするカウンター（＝）に１を付加し、カウンター（＝）のカウント値が２であるか否かチェックする。カウント値が２である場合は、クロスシリンダレンズ５９Ａ、５９Ｂの屈折力をＣＣ±０．２５ＤからＣＣ±０．５０Ｄに変換し、被検者の判断能力を確認するための確認テストを行う。確認テストの結果が良ければ、クロスシリンダテストを継続する。【選択図】      図２７
2004275591.tif 000002
【特許請求の範囲】
【請求項１】
被検者の被検眼に視標を提示するための視標提示手段を有し、前記被検眼の両眼同時他覚屈折測定と、それにより取得された前記被検眼の他覚値に基づく前記被検眼の自覚屈折測定とを自動的に行うことができ、
前記視標提示手段により提示される前記視標に対して所定の方向に屈折力を付加するためのクロスシリンダレンズと、
前記視標に付加される前記屈折力やその付加される前記方向を変更するために前記クロスシリンダレンズを駆動するための駆動手段と、を備え、
前記視標に対して前記クロスシリンダレンズの前記屈折力を２方向に交互に付加し、いずれの前記視標の状態が明瞭に視認されるか前記被検者に応答させることによって、前記被検眼の乱視軸角度や乱視度数を測定するクロスシリンダテストを自動的に行うことが可能に構成された検眼装置であって、
前記クロスシリンダテストの所定の段階で、前記クロスシリンダレンズを駆動して前記視標に付加される前記屈折力を変換し、この変換された前記屈折力が前記視標に付加された状態で前記クロスシリンダテストを行うよう前記駆動手段を制御する制御手段を設けたことを特徴とする検眼装置。
【請求項２】
前記クロスシリンダテストにおける前記被検者の前記応答の前記内容毎に、その前記応答された回数をカウントするためのカウント手段を更に有し、
前記制御手段は、前記カウント手段により同一の前記内容が所定の回数連続してカウントされたことに対応し、前記クロスシリンダレンズを駆動して前記視標に付加される前記屈折力を変換するよう前記駆動手段を制御することを特徴とする請求項１記載の検眼装置。
【請求項３】
前記制御手段は、前記変換された前記屈折力が前記視標に付加された状態で行われる前記クロスシリンダテストで、前記カウント手段により同一の前記内容が所定の回数連続してカウントされたことに対応して、前記クロスシリンダテストを終了するよう制御することを特徴とする請求項２記載の検眼装置。
【請求項４】
前記制御手段は、前記視標に付加される前記クロスシリンダレンズの前記屈折力を強くするよう前記駆動手段を制御することを特徴とする請求項１ないし請求項３のいずれか一項に記載の検眼装置。
【請求項５】
被検者の被検眼に視標を提示するための視標提示手段を有し、前記被検眼の両眼同時他覚屈折測定と、それにより取得された前記被検眼の他覚値に基づく前記被検眼の自覚屈折測定とを自動的に行うことが可能で、
前記視標提示手段により提示される前記視標に対して所定の方向の屈折力を付加するためのクロスシリンダレンズと、
前記視標に付加される前記屈折力やその付加される前記方向を変更するために前記クロスシリンダレンズを駆動するための駆動手段と、を備え、
前記視標に対して前記クロスシリンダレンズの前記屈折力を２方向に交互に付加し、いずれの前記視標の状態が明瞭に視認されるか前記被検者に応答させることによって、前記被検眼の乱視軸角度や乱視度数を測定するクロスシリンダテストを自動的に行うことが可能に構成された検眼装置であって、
前記クロスシリンダテストにおける前記被検者の前記応答の前記内容毎に、その前記応答された回数をカウントするためのカウント手段と、
前記カウント手段により同一の前記内容が所定の回数連続してカウントされたことに対応し、前記クロスシリンダテストに対する判断能力を検証するための検証試験を前記被検者に施すよう前記駆動手段を制御する制御手段と、
を有することを特徴とする検眼装置。
【請求項６】
前記制御手段は、
前記クロスシリンダテストを開始したときに前記視標に付加されていた前記クロスシリンダレンズの前記屈折力の初期値と、前記クロスシリンダテストから前記検証試験に移行するときに前記視標に付加されている前記屈折力の現在値とを交互に前記視標に付加して前記被検者に提示し、
前記初期値および前記現在値のいずれが付加された前記視標の状態の方が明瞭に視認されるか前記被検者に応答を促すことにより前記検証試験を行うよう前記駆動手段を制御することを特徴とする請求項５記載の検眼装置。
【請求項７】
前記制御手段は、
前記クロスシリンダレンズの前記屈折力の前記初期値が付加された前記視標の第１の状態と、前記屈折力の前記現在値が付加された前記視標の第２の状態とを、当該順序で交互に前記被検者に提示して前記検証試験の第１の試験を行うよう前記駆動手段を制御し、
前記視標の前記第１の状態と前記第２の状態とを提示する順序を交替して、交互に前記被検者に提示して前記検証試験の第２の試験を行うよう前記駆動手段を制御し、
前記第１の試験と前記第２の試験とに対する前記被検者の前記応答の内容が同一のときに、前記クロスシリンダテストに対する前記被検者の判断能力が無いものとして前記クロスシリンダテストを終了することを特徴とする請求項５または請求項６記載の検眼装置。
【請求項８】
前記クロスシリンダレンズの前記屈折力の前記初期値が付加された前記視標の状態と、前記屈折力の前記現在値が付加された前記視標の状態とのいずれが提示されているかを前記被検者に識別させるために、前記視標の前記状態の呼称を含むアナウンスを出力する音声出力手段を更に有し、
前記制御手段は、前記視標の前記状態の前記呼称を変更して前記アナウンスを出力するよう前記音声出力手段を制御することを特徴とする請求項５ないし請求項７のいずれか一項に記載の検眼装置。
【発明の詳細な説明】
【０００１】
【発明の属する技術分野】
本発明は、被検眼に対する検眼測定を行うための検眼装置に関し、より詳しくは、両眼同時他覚屈折測定および自覚屈折測定を行うことが可能な検眼装置に関するものである。
【０００２】
【従来の技術】
現在、眼鏡処方を目的とした検眼測定は、他覚屈折測定の測定結果に基づく自覚屈折測定により片眼の完全矯正度数測定や両眼バランステストなどを行い、眼鏡レンズの矯正度数を求める方法が一般的に取られている。このような方法により眼鏡処方を行うための検眼装置としては、例えば、下記の特許文献１に開示されたものが公知となっている。
【０００３】
特許文献１には、検眼光学系の光軸上に配置されるクロスシリンダ部材と、このクロスシリンダ部材を乱視度数測定と乱視軸測定のそれぞれにおいて第１の状態と第２の状態との間で反転駆動または反転駆動と等価な駆動をさせる駆動手段と、検眼光学系による乱視度数測定と乱視軸測定のいずれか一方を選択する選択手段であって、乱視度数または乱視軸を意味する文字表示が設けられている第１選択手段と、第１選択手段で選択された方において更にクロスシリンダの前記第１の状態と第２の状態のいずれか一方を選択するための第２選択手段と、前記検眼光学系の乱視度数と乱視軸とを、前記第２選択手段により選択された前記第１の状態および第２の状態とされた状態にそれぞれ対応する方向に所定ステップ単位で変化させることを選択する第３選択手段と、前記第１選択手段および第２選択手段による選択に応じて前記駆動手段を制御する制御手段とを有し、クロスシリンダテストを行う際の操作性の向上が図られた自覚式検眼装置が開示されている。
【０００４】
このような通常の検眼装置で行うクロスシリンダテストにおける乱視軸の決定は、次のような手法に基づいている。つまり、乱視眼の最小錯乱円が網膜上に配置するとして求めた大略の乱視軸にクロスシリンダレンズＣＣ±０．５０Ｄの中間軸を合わせ、中間軸を回転軸としてクロスシリンダレンズを反転させながら、反転による両者の見え方を被検者に比較させる。そして、被検者が選択した側において、上記の大略の乱視軸とクロスシリンダレンズの中間軸との双方を同時に、クロスシリンダレンズのマイナス軸の方向へ５°回転させる。この動作を繰り返し行って反転による見え方の差が無くなる角度を求めることにより正確な乱視軸の角度を取得する。
【０００５】
また、このような検眼装置によるクロスシリンダテストにおける乱視度の決定は、そのマイナス軸またはプラス軸を装置本体の円柱レンズの軸の方向に合わせ、乱視軸の決定と同様に、中間軸を回転軸として反転させながら、反転による両者の見え方を被検者に比較させる。クロスシリンダレンズのマイナス軸と上記円柱レンズの軸とが一致しているときの方が像の流れが小さい場合、乱視度数Ｃ−０．２５Ｄを加える。一方、プラス軸と円柱レンズの軸とか一致しているときの方が像の流れが小さい場合には、Ｃ−０．２５Ｄを減ずる。これを繰り返して、マイナス軸側とプラス軸側とが同じような見え方となれば、そのときの円柱レンズの円柱度数を被検眼の乱視度数と決定する。また、両者に僅かな差がある場合には、マイナス軸側の最弱度を選択し乱視度数と決定する。
【０００６】
ところで、近年、眼鏡等の屈折力補正具を装用する人が増加しつつあり、ひいてはその処方のための検眼測定のニーズも高まっている。また、眼鏡のファッション化が急速に進んだこともあって、病院や診療所等だけではなく、一般の眼鏡店などで検眼測定を受ける人も増えている。このような背景から、検眼測定を施すには経験的技術が重要であるにもかかわらず、眼科医等の専門家ではない検者により処方が行われるケースが間々あるのが実状である。
【０００７】
このような状況に対処するため、ムービー放映やアナウンスの出力によって被検者をガイドしながら、他覚的屈折力測定（他覚測定と略記することがある）および自覚的屈折力測定（自覚測定と略記することがある）の双方を自動的に行えるよう構成された検眼装置が提案され、実用化段階に入って来ている。
【０００８】
【特許文献１】
特許第２９１１８１１号明細書
（段落〔０００７〕〔００１８〕ないし〔００２６〕、第７図および第１４図）
【０００９】
【発明が解決しようとする課題】
【００１０】
このような検眼装置は、熟練した検者の存在を前提としていないため、知識経験の乏しい検者による検眼や、検者がいないシチュエーションでの検眼でも、十分な精度を担保できるよう構成されている必要がある。特に、上述のような複雑かつ微妙な工程により行われるクロスシリンダテストにおいて十分な精度を達成するには、熟練した検者に代わる何らかの測定プロセスが必要となる。
【００１１】
即ち、クロスシリンダテストは、乱視眼の最小錯乱円を網膜の位置として、交互に提示される視標のそれぞれの明瞭さを被検者に比較させることにより行われる検査であり、同時に提示される視標を比較するものではない上に、ぼやけた像同士の明瞭さの比較という非常に漠然とした判断基準に基づくものであるから、特に検眼を初めて行う者など、クロスシリンダテストに不慣れな被検者にとって判断が難しいという問題がある。
【００１２】
このような場合であっても、経験の豊富な検者であれば、被検者の応答の仕方や表情の具合から被検者の視認状態を判断して臨機応変に対応することができるので測定精度を保持することが可能であるが、検者が経験や知識の乏しい場合や、検者がいない場合などには測定結果の信頼性を保つことは非常に困難である。
【００１３】
このような観点を考慮すると、特許文献１に記載の検眼装置は、測定時に各種の専門的な操作を行う検者の存在を前提として構成されているので、自動化された検眼プロセスにおいて測定精度を保持することは難しいものと思われる。
【００１４】
また、自動化された検眼装置による検眼も、従来のように、幼児から老人までの幅広い年齢層を対象としているため、被検者の判断能力などに伴い測定結果に疑問が介在する場合にはその測定結果を取捨選択する必要があるが、熟練した検者無しには困難であった。
【００１５】
本発明は、このような事情に鑑みてなされたもので、経験の乏しい検者が検眼を施す場合や、検者がいないような場合においても、被検者の判断能力に関わらず高い測定精度で乱視軸角度測定や乱視度数測定を行うことが可能な検眼装置を提供することを目的としている。
【００１６】
【課題を解決するための手段】
上記目的を達成するために、請求項１に記載の発明は、被検者の被検眼に視標を提示するための視標提示手段を有し、前記被検眼の両眼同時他覚屈折測定と、それにより取得された前記被検眼の他覚値に基づく前記被検眼の自覚屈折測定とを自動的に行うことができ、前記視標提示手段により提示される前記視標に対して所定の方向に屈折力を付加するためのクロスシリンダレンズと、前記視標に付加される前記屈折力やその付加される前記方向を変更するために前記クロスシリンダレンズを駆動するための駆動手段と、を備え、前記視標に対して前記クロスシリンダレンズの前記屈折力を２方向に交互に付加し、いずれの前記視標の状態が明瞭に視認されるか前記被検者に応答させることによって、前記被検眼の乱視軸角度や乱視度数を測定するクロスシリンダテストを自動的に行うことが可能に構成された検眼装置であって、前記クロスシリンダテストの所定の段階で、前記クロスシリンダレンズを駆動して前記視標に付加される前記屈折力を変換し、この変換された前記屈折力が前記視標に付加された状態で前記クロスシリンダテストを行うよう前記駆動手段を制御する制御手段を設けたことを特徴とする。
【００１７】
上記目的を達成するために、請求項２に記載の発明は、請求項１記載の検眼装置であって、前記クロスシリンダテストにおける前記被検者の前記応答の前記内容毎に、その前記応答された回数をカウントするためのカウント手段を更に有し、前記制御手段は、前記カウント手段により同一の前記内容が所定の回数連続してカウントされたことに対応し、前記クロスシリンダレンズを駆動して前記視標に付加される前記屈折力を変換するよう前記駆動手段を制御することを特徴とする。
【００１８】
上記目的を達成するために、請求項３に記載の発明は、請求項２記載の検眼装置であって、前記制御手段は、前記変換された前記屈折力が前記視標に付加された状態で行われる前記クロスシリンダテストで、前記カウント手段により同一の前記内容が所定の回数連続してカウントされたことに対応して、前記クロスシリンダテストを終了するよう制御することを特徴とする。
【００１９】
上記目的を達成するために、請求項４に記載の発明は、請求項１ないし請求項３のいずれか一項に記載の検眼装置であって、前記制御手段は、前記視標に付加される前記クロスシリンダレンズの前記屈折力を強くするよう前記駆動手段を制御することを特徴とする。
【００２０】
上記目的を達成するために、請求項５に記載の発明は、であって、被検者の被検眼に視標を提示するための視標提示手段を有し、前記被検眼の両眼同時他覚屈折測定と、それにより取得された前記被検眼の他覚値に基づく前記被検眼の自覚屈折測定とを自動的に行うことが可能で、前記視標提示手段により提示される前記視標に対して所定の方向の屈折力を付加するためのクロスシリンダレンズと、前記視標に付加される前記屈折力やその付加される前記方向を変更するために前記クロスシリンダレンズを駆動するための駆動手段と、を備え、前記視標に対して前記クロスシリンダレンズの前記屈折力を２方向に交互に付加し、いずれの前記視標の状態が明瞭に視認されるか前記被検者に応答させることによって、前記被検眼の乱視軸角度や乱視度数を測定するクロスシリンダテストを自動的に行うことが可能に構成された検眼装置であって、前記クロスシリンダテストにおける前記被検者の前記応答の前記内容毎に、その前記応答された回数をカウントするためのカウント手段と、前記カウント手段により同一の前記内容が所定の回数連続してカウントされたことに対応し、前記クロスシリンダテストに対する判断能力を検証するための検証試験を前記被検者に施すよう前記駆動手段を制御する制御手段と、を有することを特徴とする。
【００２１】
上記目的を達成するために、請求項６に記載の発明は、請求項５記載の検眼装置であって、前記制御手段は、前記クロスシリンダテストを開始したときに前記視標に付加されていた前記クロスシリンダレンズの前記屈折力の初期値と、前記クロスシリンダテストから前記検証試験に移行するときに前記視標に付加されている前記屈折力の現在値とを交互に前記視標に付加して前記被検者に提示し、前記初期値および前記現在値のいずれが付加された前記視標の状態の方が明瞭に視認されるか前記被検者に応答を促すことにより前記検証試験を行うよう前記駆動手段を制御することを特徴とする。
【００２２】
上記目的を達成するために、請求項７に記載の発明は、請求項５または請求項６記載の検眼装置であって、前記制御手段は、前記クロスシリンダレンズの前記屈折力の前記初期値が付加された前記視標の第１の状態と、前記屈折力の前記現在値が付加された前記視標の第２の状態とを、当該順序で交互に前記被検者に提示して前記検証試験の第１の試験を行うよう前記駆動手段を制御し、前記視標の前記第１の状態と前記第２の状態とを提示する順序を交替して、交互に前記被検者に提示して前記検証試験の第２の試験を行うよう前記駆動手段を制御し、前記第１の試験と前記第２の試験とに対する前記被検者の前記応答の内容が同一のときに、前記クロスシリンダテストに対する前記被検者の判断能力が無いものとして前記クロスシリンダテストを終了することを特徴とする。
【００２３】
上記目的を達成するために、請求項８に記載の発明は、請求項５ないし請求項７のいずれか一項に記載の検眼装置であって、前記クロスシリンダレンズの前記屈折力の前記初期値が付加された前記視標の状態と、前記屈折力の前記現在値が付加された前記視標の状態とのいずれが提示されているかを前記被検者に識別させるために、前記視標の前記状態の呼称を含むアナウンスを出力する音声出力手段を更に有し、前記制御手段は、前記視標の前記状態の前記呼称を変更して前記アナウンスを出力するよう前記音声出力手段を制御することを特徴とする。
【発明の実施の形態】
以下、本発明に係る実施の形態の検眼装置の一例について、図面を参照しながら詳細に説明する。
【００２４】
［検眼装置の構成］
図１において、１は高さが上下調節可能な検眼テーブル、２は検眼テーブル１に配設された検眼装置、３は検眼椅子、４は検眼装置２に着座した被検者である。検眼装置２は図２に示すように台座部５ａ、駆動機構ボックス５ｂ、後述する測定光学系を内蔵する左右一対の本体部５ｌ、５ｒ、顔受け装置６を有する。本体部５ｌ、５ｒは支柱５ｐ、５ｑに支持されている。
【００２５】
顔受け装置６には、一対の支柱６ａ、６ｂと顎受け６ｄとが設けられている。一対の支柱６ａ、６ｂには円弧状の額当て６ｃが設けられている。顎受け６ｄはノブ６ｅ、６ｅにより上下方向に調節可能である。また、額当て６ｃも前後方向に調節可能である。
【００２６】
駆動機構ボックス５ｂ内には、支柱５ｐ、５ｑをそれぞれ独立に駆動するＸＹＺ駆動機構（図示を略す）が設けられている。このＸＹＺ駆動機構には例えばパルス駆動モーター、送りネジが用いられ、公知の構成を採用することができる。また、駆動機構ボックス５ｂ内には、支柱５ｐ、５ｑをそれぞれ独立に水平方向でかつ反対方向に回転駆動させる回転駆動機構が設けられている。この回転駆動機構には、パルスモーターとギヤとの組み合わせを用いれば良い。本体部５ｌ、５ｒは、両眼同時他覚測定及び自覚屈折測定機能を有し、左右被検眼の眼球回旋点を中心として回転される。
【００２７】
台座部５ａにはジョイスティックレバー（以下、レバーという）６ｈが設けられ、このレバー６ｈにはボタン６ｇが設けられている。
【００２８】
本体部５ｌの測定光学系は、図３〜図５に示した前眼部撮影光学系３０Ｌ、ＸＹアライメント光学系３１Ｌ、固視光学系３２Ｌ、屈折力測定光学系３３Ｌを有する。本体部５ｒの測定光学系は、図３、図６、図７に示したように前眼部撮影光学系３０Ｒ、ＸＹアライメント光学系３１Ｒ、固視光学系３２Ｒ、屈折力測定光学系３３Ｒを有する。本体部５ｌの測定光学系と本体部５ｒの測定光学系とは左右対称であるので、本体部５ｌの測定光学系について説明する。
【００２９】
前眼部撮影光学系３０Ｌは、前眼部照明光学系３４と、撮影光学系３５とを有する。前眼部照明光学系３４は、前眼部照明用の光源３６、絞り３６ａ、光源３６からの光を被検眼Ｅの前眼部に投影する投影レンズ３７を有する。
【００３０】
撮影光学系３５は、被検眼Ｅの前眼部からの反射光が入射するプリズムＰ、対物レンズ３８、ダイクロイックミラー３９、絞り４０、ダイクロイックミラー４１、リレーレンズ４２、４３、ダイクロイックミラー４４、ＣＣＤレンズ（結像レンズ）４５、ＣＣＤ（撮像手段）４６を有する。
【００３１】
ＸＹアライメント光学系３１Ｌは、アライメント照明光学系４７、アライメント受光光学系としての撮影光学系３５を有する。アライメント照明光学系４７は、図４に示したように、アライメント用の照明光源４８、アライメント視標としての絞り４９、リレーレンズ５０、ダイクロイックミラー４１、絞り４０、ダイクロイックミラー３９、対物レンズ３８、プリズムＰを有する。
【００３２】
固視光学系３２Ｌは、固視標や自覚式検眼用のチャート等を表示させる液晶表示器５３、ハーフミラー５４、コリメータレンズ５５、ロータリープリズム５５Ａ、５５Ｂ、反射ミラー５６、移動レンズ５７、リレーレンズ５８、５９、クロスシリンダレンズ（ＶＣＣレンズ）５９Ａ、５９Ｂ、反射ミラー６０、ダイクロイックミラー６１、３９、対物レンズ３８、プリズム（ミラーでも良い）Ｐを有する。
【００３３】
ロータリープリズム５５Ａ、５５Ｂは図１１に示す公知のものが用いられ、互いに逆方向に回転するとプリズム量を連続的に変更でき、同じ方向に一体回転するとプリズム基底方向が回転する。ロータリープリズム５５Ａ、５５Ｂは、図１２（ａ）に示す視標７１Ａを左眼に提示し、図１２（ｂ）に示す視標７１Ｂを右眼に提示して斜位の測定に用いられる。正常眼は図１２（ｃ）に示すように視標７１Ａと視標７１Ｂとは中心で交差するが、斜位があると分離する。ロータリープリズム５５Ａ、５５Ｂは図１２（ｃ）に示すように視標７１Ａと視標７１Ｂとが中心で交わるプリズム量を測定するために用いられる。クロスシリンダレンズ（ＶＣＣレンズ）５９Ａ、５９Ｂは図１３に示す公知のものが用いられ、後述のパルスモーターＰＭａ（駆動手段）によって互いに逆方向に回転させると乱視度数が変更され、同じ方向に一体回転させると乱視軸が回転される。
【００３４】
なお、ここでは、視標提示手段としての液晶表示器５３を用いて視標を提示することにしているが、ターレット盤に視標を設けて背景照明により視標を提示する公知のものを用いても良い。
【００３５】
固視光学系３２Ｌは、被検眼Ｅの屈折力に応じて移動レンズ５７がパルスモーターＰＭａにより光軸方向に移動可能とされている。これにより、被検眼Ｅに固視雲霧させることができる。
【００３６】
その固視光学系３２Ｌには、融像視標提示光学系３２Ｌ’が設けられている。融像視標提示光学系３２Ｌ’は、照明光源としてのＬＥＤ５３Ａ、コリメータレンズ５３Ｂ、融像枠チャート５３Ｄ、全反射ミラー５３Ｅから構成されている。融像枠チャート５３Ｄには図１４に示すように正方形状の透過窓５３Ｆと遮光部５３Ｇとが形成されている。コリメータレンズ５３Ｂには拡散面が設けられ、融像枠チャート５３Ｄを一様照明するようになっている。
【００３７】
本発明の実施の形態では、融像視標提示光学系３２Ｌ’を設けているが、液晶表示器５３の視標に直接融像枠５３Ｆを設けることもできる。
【００３８】
屈折力測定光学系３３Ｌは、測定光束投影光学系６２、測定光束受光光学系６３を有する。測定光束投影光学系６２は、赤外ＬＥＤ等の測定用光源６４、コリメータレンズ６５、円錐プリズム６６、リング視標６７、リレーレンズ６８、リング状絞り６９、中央に透孔７０ａが形成された穴あきプリズム７０、ダイクロイックミラー６１、３９、対物レンズ３８、プリズムＰを有する。
【００３９】
また、測定光束受光光学系６２は、被検眼Ｅの眼底Ｅｆからの反射光を受光するプリズムＰ、対物レンズ３８、ダイクロイックミラー３９、６１、穴あきプリズム７０の透孔７０ａ、反射ミラー７１、リレーレンズ７２、移動レンズ７３、反射ミラー７４、ダイクロイックミラー４４、ＣＣＤレンズ４５、ＣＣＤ４６を有する。本体部５ｒの光学系は本体部５ｌの光学系と大略同一であるので、その説明は省略する。
【００４０】
本体部５ｌ、５ｒの制御系が図８に示されている。駆動装置２０、２４、２６、２８、前眼部観察用の照明光源３６、液晶表示器（固視標光源）５３、測定用光源６４、パルスモーターＰＭａ等は図８に示す後述の演算制御回路６３（制御手段）の制御に基づく演算制御回路６２’によって作動制御される。また、演算制御回路６２’にはＣＣＤ４６からの検出信号が入力される。本体部５ｒの制御系は本体部５ｌの制御系と同一である。
【００４１】
全体の制御回路は、図８に示すように、本体部５ｌ、５ｒの制御回路６２’、６２’を制御する演算制御回路６３を有する。この演算制御回路６３には、ボタン６ｇ、レバー６ｈの傾動動作を検出する傾動センサ１２ｂ、レバー１２ｈの軸線回りへの回動操作を検出する回動センサ１２ｃが接続されている。また、演算制御回路６３にはモニター装置としての液晶表示器６４ｌ，６４ｒ、モニター装置６４ｑが接続されている。液晶表示器６４ｌは、図２に示すように、本体部５ｌの前面に設けられて、被検眼Ｅの左眼の前眼部像を表示する役割を果たす。表示部６４ｒは本体部５ｒの前面に設けられて、被検眼Ｅの右眼の前眼部像を表示する役割を果たす。モニター装置６４ｑは、座台部５ａに立設された支柱６４ｓに取り付けられている。そのモニター装置６４ｑは、その表示画面６４ｑ’に被検者自身による検眼の測定手順をムービー放映により説明するモニター画面を提示する。また、演算制御回路６３には、測定時に被検者をガイドするための音声出力を行う音声出力手段としての音声出力部８０が接続されている。この音声出力部８０は、その詳細は図示しないが、ガイド用の各種アナウンス音声を記録した記録部やスピーカ等を含んで構成されており、演算制御回路６３により音声が選択されて出力されるようになっている。更に、演算制御回路６３は、乱視度数や乱視軸角度を測定するために行うクロスシリンダテストにおける被検者の応答の内容毎の回数をカウントするカウント手段を構成している。
【００４２】
その検眼装置２には、レンズメーター１０００が接続されている。そのレンズメーター１０００の接続態様は図９（ａ）〜図９（ｃ）のいずれでも良い。そのレンズメーター１０００の外観が例えば図１０に示されている。このレンズメーター１０００は眼鏡１００６の左右のフレーム入り眼鏡レンズ１００６Ｌ、１００６Ｒの光学特性を同時に測定する機能を有する。その図１０において、１００７Ｌ、１００７Ｒは眼鏡レンズ１００６Ｌ、１００６Ｒの押さえレバーである。眼鏡１００６をこのレンズメーター１０００の眼鏡セット台１００１に置くと、眼鏡セット台１００１に設置の検出ピン（図示を略す）が眼鏡１００６のセットを検出する。これにより、自動的に押さえレバー１００７Ｌ、１００７Ｒが下降して、押さえ爪１００８Ｌ、１００８Ｒにより眼鏡１００６が固定され、レンズメーター１０００に内蔵の測定光学系により左右の眼鏡レンズ１００６Ｌ、１００６Ｒの光学特性データが同時に得られる。また、左右の眼鏡レンズ１００６Ｌ、１００６Ｒの光学特性データに基づき、被検者（眼鏡装用者）のＰＤ値が得られる。このレンズメーター１０００の測定光学系の構造については、原理的には２つの公知の測定光学系を用いて構成することができ、詳細説明は、例えば特願２０００−３９９８０１号公報に記載されている。本発明の実施の形態では、図１０に示すレンズメーターとしたが、ＰＤ測定機能を有する公知のオートレンズメーターを用いることもできる。
【００４３】
そのレンズメーター１０００の眼鏡レンズ１００６Ｌ、１００６Ｒの特性データは、演算制御回路６３に入力される。演算制御回路６３はモニター装置６４ｑの表示画面６４’に眼鏡レンズ１００６Ｌ、１００６Ｒの光学特性値、ＰＤ値を表示させる役割も果たす。このＰＤ値を用いて、眼鏡レンズ装用者の場合には、本体部５ｌ、５ｒの初期設定を行うようにすることが望ましい。
【００４４】
［検眼装置の動作］
被検者４の来店とともにモニター装置６４ｑがオンされ、表示画面６４ｑ’に所定の事項が表示される。そのモニター装置６４ｑの表示画面６４ｑ’に表示された指示に従って、被検者４は表示画面６４ｑ’のタッチパネルを操作する。例えば、性別、年齢、眼鏡やコンタクトレンズの装用の有無等をタッチパネルの指示に従って入力する。同時に指示事項が音声でガイドされる。
【００４５】
被検者４が眼鏡装用者の場合には、眼鏡１００６の光学特性値データ（度数）をレンズメーター１０００で測定する。これらの一連の問診が終了すると、モニター装置６４ｑの表示画面６４ｑ’に検眼装置２の操作手順の説明がムービー放映される。
【００４６】
そして、被検者４が着座して顎受け６ｄに顎を乗せ、額当て６ｃに額を当てると、被検者４の左眼ＥＬ、右眼ＥＲに対するオートアライメントを行うために、本体部５ｌ、５ｒ内の前眼部観察用光源３６、アライメント用の照明光源４８、液晶表示器５３を点灯させる。
【００４７】
液晶表示器５３に表示された固視標の光は、反射ミラー５４、コリメータレンズ５５、反射ミラー５６、移動レンズ５７、リレーレンズ５８、５９、反射ミラー６０、ダイクロイックミラー６１、３９、対物レンズ３８、プリズムＰを介して、被検者４の左眼ＥＬ、右眼ＥＲの眼底Ｅｆに投影される。
【００４８】
液晶表示器５３には、視標としての、図１５に示すような風景チャート９９が表示され、被検者４に提示される。
【００４９】
また、演算制御回路６３は、本体部５ｌ、５ｒのプリズムＰ、Ｐの中心間距離（光軸ＯＬ、ＯＲ）が大人の被検者の平均瞳孔間距離（ＰＤ値＝６６ｍｍ）となるように、本体部５ｌ、５ｒを左右方向に初期設定して調節する。一方、被検者４は固視標としての風景チャート９９が見えるように顎受け６ｄ等の高さを調節する。
【００５０】
前眼部照明用の光源３６からの照明光は、絞り３６ａ、投影レンズ３７を介して左眼ＥＬ、右眼ＥＲの前眼部に投影され、前眼部が照明される。左眼ＥＬ、右眼ＥＲの前眼部からの反射光は、プリズムＰ、対物レンズ３８、ダイクロイックミラー３９、絞り４０、ダイクロイックミラー４１、リレーレンズ４２、４３、ダイクロイックミラー４４、ＣＣＤレンズ（結像レンズ）４５を介してＣＣＤ（撮像手段）４６に投影される。そして、左眼ＥＬの前眼部像ＥＬ’がＣＣＤ４６に結像される。また、演算制御回路６２’は、ＣＣＤ４６からの出力信号に基づき左眼ＥＬの前眼部像ＥＬ’を本体部５ｌの液晶表示部６４ｌに表示させる。同様に、右眼ＥＲの前眼部像ＥＲ’を本体部５ｒの液晶表示部６４ｒに表示させる。
【００５１】
一方、ＸＹアライメント用の照明光源４８からのアライメント光束は、アライメント視標としての絞り４９、リレーレンズ５０、ダイクロイックミラー４１、絞り４０、ダイクロイックミラー３９、対物レンズ３８、プリズムＰを介して被検者４の左眼ＥＬの角膜ＣＬに投影されている。そして、角膜ＣＬからの反射光は、プリズムＰ、対物レンズ３８、ダイクロイックミラー３９、絞り４０、ダイクロイックミラー４１、リレーレンズ４２、４３、ダイクロイックミラー４４、ＣＣＤレンズ４５を介してＣＣＤ４６に結像され、角膜ＣＬからの輝点像をＣＣＤ４６に形成する。この輝点像は、演算制御回路６３により、左眼ＥＬの前眼部像ＥＬ’とともに液晶表示器６４ｌに表示される。同様に、右眼ＥＲの角膜ＣＲからの輝点像も、右眼ＥＲの前眼部像ＥＲ’とともに液晶表示器６４ｒに表示される。演算制御回路６３は、左眼ＥＬの角膜ＣＬからの輝点像がＣＣＤ４６の所定の中心領域に入るように、つまり、左眼ＥＬの光軸が本体部５ｌのプリズムＰの中心（光軸ＯＬ）に一致する方向に駆動装置２０、２６を駆動制御する。この駆動に伴って、左眼ＥＬの光軸が本体部５ｌの光軸ＯＬにほぼ一致する許容範囲内に入ると、演算制御回路６３は駆動装置２０、２６の作動を停止させて、本体部５ｌの左眼ＥＬに対するＸＹアライメントを完了する。本体部５ｒの右眼ＥＲに対するＸＹアライメントも同様に行われる。
【００５２】
演算制御回路６３は、本体部５ｌの左眼ＥＬに対するＸＹアライメントが完了すると、ＣＣＤ４６上の輝点像が鮮明になるようにｚ（前後）方向駆動装置２４を駆動制御して、本体部５ｌを光軸ＯＬ方向（前後方向）に移動制御する。演算制御回路６３は、ＣＣＤ４６上の輝点像が鮮明になったことを検知すると、ｚ（前後）方向駆動装置２４の駆動を停止させ、Ｚアライメントを完了する。本体部５ｒの右眼ＥＲに対するＺアライメントも同様に行われる。
【００５３】
演算制御回路６３は、オートアライメントが完了すると、本体部５ｌの演算制御回路６２’、本体部５ｒの演算制御回路６２’をそれぞれ作動制御して、それぞれの測定用光源６４を点灯させて赤外の測定光束を出射させ、被検者４の左眼ＥＬ、右眼ＥＲの眼屈折力の測定を同時に開始する。
【００５４】
測定用光源６４からの光束は、測定光束投影光学系６２を介して被検者４の左眼ＥＬ、右眼ＥＲの眼底Ｅｆに投影される。つまり、測定用光源６４からの測定光束は、本体部５ｌ、５ｒそれぞれのコリメータレンズ６５、円錐プリズム６６を介してリング視標６７に導かれ、リング視標６７を透過したリング状の測定光束は、リレーレンズ６８、リング状絞り６９、中央に透孔が形成された穴あきプリズム７０、ダイクロイックミラー６１、３９、対物レンズ３８、プリズムＰを介して、それぞれ左眼ＥＬ、右眼ＥＲの眼底Ｅｆに投影される。
【００５５】
眼底Ｅｆに投影されたリング状の測定光束は、眼底Ｅｆで反射される。この反射光は、測定光束受光光学系６３、すなわち、プリズムＰ、対物レンズ３８、ダイクロイックミラー３９、６１、穴あきプリズム７０の透孔７０ａ、反射ミラー７１、リレーレンズ７２、移動レンズ７３、反射ミラー７４、ダイクロイックミラー４４、ＣＣＤレンズ４５を介してＣＣＤ４６にリング状の反射像が結像される。
【００５６】
このリング状の反射像のＣＣＤ４６による検出信号は、それぞれ、本体部５ｌ、５ｒの演算制御回路６２’に入力される。検出信号の入力を受けた演算制御回路６２’は、そのリング状の反射像の大きさと形状とから左眼ＥＬ、右眼ＥＲの眼屈折力を他覚的に測定する。この他覚的眼屈折力の測定原理は既に公知であるので、その詳細についての説明は省略する。
【００５７】
［検眼装置の使用方法］
以下、図面を参照しながら、本実施形態の検眼装置２の使用方法について説明する。まず、検眼装置２の使用方法の全体の流れについて概略を説明し、その後で個々の工程における動作について詳細に説明する。
【００５８】
〔使用方法の全体の流れ〕
まず、図１６に示すフローチャートを参照しながら、検眼装置２の使用方法の全体の流れについて概略を説明する。最初に、モニター装置６４ｑの表示画面６４ｑ’に表示されるムービーを被検者４に見せながら問診を行う（Ｓ１）。ここで、被検者４が眼鏡を装用している場合には、レンズメーター１０００によりその眼鏡の光学特性データを取得する（Ｓ２）。次に、モニター装置６４ｑの表示画面６４ｑ’に検眼装置２の操作手順を表示するとともに音声ガイドを出力しながら、操作手順を説明する（Ｓ３）。その後、検眼測定が選択されると、各個別の測定に入る。操作手順の説明が終了し、検眼測定が選択されたら、本体部５ｌ、５ｒの被検者４の左眼ＥＬ、ＥＲに対するオートアライメント（ＸＹアライメント及びＺアライメント）を行う（Ｓ４）。オートアライメントが完了したら、眼屈折力を測定する工程に移行する。検眼装置２による眼屈折力測定は、図１６のＳ５に示す他覚的な測定と、Ｓ６〜Ｓ２３からなる自覚的な測定とに大別することができる。他覚測定は、左眼ＥＬ、右眼ＥＲの両眼に対して同時に行われる（Ｓ５）。続いて行われる自覚的な測定は、両眼同時他覚測定によって得られた眼屈折力（他覚値）を基に行われる。
【００５９】
両眼同時他覚測定が終了したら、右眼ＥＲに対する自覚測定が行われる。右眼ＥＲに対する自覚測定は、視力測定（Ｓ６）、レッド・グリーンテスト（Ｓ７）、＋１Ｄぼかしテスト（Ｓ８）、乱視軸を測定するためのクロスシリンダテスト（以下、ＣＣテストとも称する）（Ｓ９）、そして、乱視度を測定するためのＣＣテスト（Ｓ１０）の順に行われる。左眼に対する自覚測定も、これと同じ工程により行われる（Ｓ１１からＳ１５）。片眼毎の自覚測定が終了したら、両眼バランステスト（Ｓ１６）、＋１Ｄぼかしテスト（Ｓ１７）が行われ、片眼毎行われた自覚測定の結果の調整をし、自覚測定による眼屈折力（自覚値）を取得する。
【００６０】
被検者４の左眼ＥＬ、右眼ＥＲの自覚値を取得したら、その自覚値による矯正を付加して視力測定を行い（Ｓ１８）、Ｓ２で取得したデータを基に眼鏡度数による視力検査を行い（Ｓ１９）、更に裸眼による視力測定を行う（Ｓ２０）。そして、これら３種類の視力測定結果のうちどれが最もよく見えるか確認するための確認テストが行われる（Ｓ２１）。
【００６１】
最後に、近用加入度を測定するための近用テストを行い（Ｓ２２）、それにより得られた近用加入度を付加した状態で近用視力テストを行う（Ｓ２３）。以上の結果を基に処方値を決定し（Ｓ２４）、処理を終了する。
【００６２】
〔使用方法の各工程における処理〕
以下、このような流れに沿って行われる検眼装置２による処理を、工程毎に詳しく説明する。ここで、問診（Ｓ１）、装用眼鏡測定（Ｓ２）、モニター表示及び音声ガイド（Ｓ３）及びオートアライメント（Ｓ４）については、以上で説明されたかまたは既に公知の内容であるから、説明は省略する。また、両眼同時他覚測定（Ｓ５）についても、同様の理由から、説明は簡略なものに止めることとする。
【００６３】
（両眼同時他覚測定；Ｓ５）
本体部５ｌ、５ｒの被検者４の左眼ＥＬ、ＥＲに対するオートアライメント（Ｓ４）が完了すると、検眼装置２は他覚測定モードに自動設定される。つまり、被検者４の左眼ＥＬ、右眼ＥＲ（以下、「両眼」とも称する）には風景チャート９９が提示され、ＰＤはアライメント時に求められたＰＤ値とされる。そして、「必要とするメガネ度数を求めます。視力測定器を覗いてください。」とアナウンスする。その１秒後、「目を大きく開けて、まばたきを少し我慢してください。」とアナウンスし、両眼同時にアライメントを行う。アライメントの完了後、両眼同時に他覚測定を行って両眼の他覚値Ｓ（球面度数）、Ｃ（乱視度数）、Ａ（乱視軸角度）を取得し、他覚値Ｓ、Ｃ、Ａの代表値を表示・出力する。
【００６４】
（右眼の視力測定；Ｓ６）
両眼同時他覚測定（Ｓ５）が終了すると、「屈折測定値を求めました。この屈折値による視力測定を行います。」とアナウンスし、両眼に他覚値Ｓ、Ｃ、Ａをセットする。更に、右眼ＥＲに視力値０．５の視標（ランドルト環）を提示するとともに、左眼ＥＬの視標照明光源をオフにする。そして、「視標の切れ目方向にレバー（６ｈ）を倒してください。」とアナウンスする。
【００６５】
被検者４がランドルト環の切れ目方向と認識した方向にレバー６ｈを倒すと、提示視標の切れ目の方向とレバー６ｈの倒れた方向とが一致しているか（ＯＫ）否か（ＮＧ）を判定する。そして、この一致判定の結果に基づき、「これはどうですか。」とアナウンスするとともに、右眼ＥＲに次の視標を提示する。ここで、視力値決定のアルゴリズムは、次による。
【００６６】
最初の提示で、レバー６ｈを倒した方向と、ランドルト環の切れ目方向とが一致した場合、視力値を１ステップずつ上げながら同様の検査を繰り返す。ステップを上げて行く段階でＮＧとなった場合、最大４回提示をする。また、視力値を上げて行く段階において、同じ視力値のランドルト環を切れ目方向を変更して提示する場合、水平方向と垂直方向とを交互に提示するようにする。また、水平方向の右と左、垂直方向の上と下は、ランダムに選択されるようになっている。最大４回提示のうち２回ＮＧとなったら、その下の視力値とする。３回以上ＯＫとなったら、少なくともその視力値を有すると判定し、その上の視力値のランドルト環を提示する。
【００６７】
一方、最初の提示で、レバー６ｈを倒した方向と、ランドルト環の切れ目方向とが一致しなかった場合は、ＯＫとなるまで提示するランドルト環の視力値を下げていく。その段階でＯＫとなったら、今度は提示するランドルト環の視力値を上げて行く。上げて行く段階でＮＧとなった場合、最大４回提示する。これ以降は、上記の最初の提示で一致した場合の説明で述べたものと同様に進められる。
【００６８】
このようなアルゴリズムに従って右眼ＥＲの視力値が決定されると、両眼に風景チャート９９を提示する。最後に、決定された視力値をメモリーして、右眼ＥＲの視力測定を終了する。
【００６９】
（右眼のレッド・グリーンテスト；Ｓ７）
本実施形態の検眼装置２には、レッド・グリーンテスト用の図１７に示すようなレッド・グリーンチャートが設けられている。図１７（ａ）は、本体部５ｒ内の固視光学系３２Ｒの液晶表示器５３に表示され、被検者４の右眼ＥＲに提示される（右眼用）レッド・グリーンチャート１００Ｒを示している。また、図１７（ｂ）は、本体部５ｌ内の固視光学系３２Ｌの液晶表示器５３に表示され、被検者４の左眼ＥＬに提示される（左眼用）レッド・グリーンチャート１００Ｌを示している。図１７（ｃ）は、双方のレッド・グリーンチャート１００Ｒ、１００Ｌを提示したときに、被検者４により融像されて認識されるレッド・グリーンチャート１００の形態を示している。
【００７０】
図１７（ａ）に示す右眼用レッド・グリーンチャート１００Ｒは、中心を挟んで水平方向に形成された一対の融像用水平視標１０１と、各視標を囲むように形成された正方形状の融像枠１０２とを含んでいる。融像水平視標１０１及び融像枠１０２は、両眼にそれぞれ提示される視標像の融像を促すための視標である。また、融像枠１０２の内部領域は融像水平視標１０１を挟んで上段と下段とに分割されており、その上段の左側および右側には、赤地の矩形視野１０３ｌおよび緑地の矩形視野１０３ｒが形成されている。赤地の矩形視野１０３ｌ内には、数字視標「６」と２重円からなるリング視標とが設けられている。また、緑地の矩形視野１０３ｒ内には、数字視標「９」と同様のリング視標とが設けられている。
【００７１】
一方、図１７（ｂ）に示す左眼用レッド・グリーンチャート１００Ｌにも、同様の融像用水平視標１０１と融像枠１０２とが含まれている。また、融像枠１０２の内部領域は融像水平視標１０１を挟んで上段と下段とに分割されており、その下段の左側および右側には、赤地の矩形視野１０４ｌおよび緑地の矩形視野１０４ｒが形成されている。赤地の矩形視野１０４ｌ内には、数字視標「８」とリング視標とが設けられている。また、緑地の矩形視野１０４ｒ内には、数字視標「３」とリング視標とが設けられている。
【００７２】
以下、このようなレッド・グリーンチャート１００Ｒ、１００Ｌを用いたレッド・グリーンテストの使用方法を、図１８ないし図２０に示すフローチャートを参照しながら説明する。ここで、図１８は、レッド・グリーンテストにおける最初の応答が「（赤と緑とが）同じ」であったときの処理の流れを示すフローチャートであり、図１９は、最初の応答が「緑（の方がよく見える）」であったときの処理の流れを示すフローチャートであり、図２０は、最初の応答が「赤（の方がよく見える）」であったときの処理の流れを示すフローチャートである。
【００７３】
まず、本体部５ｒの液晶表示器５３に右眼用レッド・グリーンチャート１００Ｒを表示して被検者４の右眼ＥＲに提示するとともに、左眼ＥＬ用の照明光源をオフとすると、被検者４は、その右眼ＥＲによって、左側の赤色視野内に数字視標「６」とリング視標とを、また、右側の緑色視野内に数字視標「９」とリング視標とを観察することとなる。ここで、「両方ともはっきり見えたらボタン（６ｇ）を押してください。もしそうでないなら、はっきり見える方向へレバー（６ｈ）を倒してください。」というアナウンスを繰り返し出力して、被検者４に応答を促す（Ｓ１０１）。
【００７４】
最初の応答においてボタン６ｇが押された場合（Ｓ１０１；ＳＡＭＥ）、調整介入の有無を確認するためにＳ（球面度数）＋０．５０Ｄを加えるとともに（Ｓ１０２）、「ピンポン」音を出力し、再び赤（Ｒ）と緑（Ｇ）とのどちらがよく見えるか被検者４に応答を促す（Ｓ１０３）。ここで、Ｒの方がよく見えると応答した（レバー６ｈを左に倒した）場合（Ｓ１０３；ＲＥＤ）、調整の介入は無いものと判断し、Ｓ−０．５０Ｄを加えて処理を終了する（Ｓ１０４）。また、Ｇの方がよく見えると応答した（レバー６ｈを右に倒した）場合（Ｓ１０３；ＧＲＥＥＮ）、Ｓ＋０．５０Ｄ以上の調節除去があったのでエラーと判定し、設定を他覚値に戻す（Ｓ１０５）。
【００７５】
一方、２度目の応答に置いて再び「同じ」と応答された場合は（Ｓ１０３；ＳＡＭＥ）、調整介入の可能性があると判断し、更にＳ＋０．５０Ｄを加え（Ｓ１０６）、３度目の応答を促す（Ｓ１０７）。ここで「ＲＥＤ」と応答された場合は、Ｓ＋０．５０Ｄの調整介入と判断し、Ｓ−０．５０Ｄを加え、終了する（Ｓ１０８）。また、「ＧＲＥＥＮ」と応答された場合は、Ｓ＋１．０Ｄ以上の調節除去があったのでエラーと判定し、他覚値に戻す（Ｓ１０９）。また、３度目の応答においても「同じ」と応答された場合には、Ｓ＋１．０Ｄを加えたにも関わらず何等変化がないので、被検者４はレッド・グリーンテストを理解していないものと判断し、エラーとする（Ｓ１１０）。このときも同様に他覚値に戻される。
【００７６】
次に、最初の応答において「ＧＲＥＥＮ」と応答された場合の処理について、図１９を参照しながら説明する。最初の応答において「ＧＲＥＥＮ」と応答されると（Ｓ１０１；ＧＲＥＥＮ）、過矯正であると判断してＳ＋０．５０Ｄが加えられ（Ｓ１１１）、２度目の応答を促す（Ｓ１１２）。
【００７７】
この２度目の応答において「ＲＥＤ」と応答されると、弱矯正となったものと判断し、Ｓ−０．２５Ｄが加えられ（Ｓ１１３）、３度目の応答を促す（Ｓ１１４）。この３度目の応答において「ＲＥＤ」と応答された場合、更にＳ−０．２５Ｄステップで加えると過矯正になる。弱矯正に留め、この時点のディオプタ値（Ｄ値）をもって終了する（Ｓ１１５）。また、この３度目の応答において「ＧＲＥＥＮ」と応答されると、Ｓ−０．２５Ｄを加えたことにより過矯正となったものと判断し、Ｓ＋０．２５Ｄを加えて弱矯正として終了する（Ｓ１１６）。また、「同じ」と判断された場合は、この時点のＤ値をもって終了する（Ｓ１１７）。
【００７８】
また、２度目の応答（Ｓ１１２）において「同じ」と応答されると、調整介入の有無を確認するためにＳ＋０．５０Ｄを加え（Ｓ１１８）、３度目の応答を促す（Ｓ１１９）。この３度目の応答において「ＲＥＤ」と応答されると、Ｓ＋０．５０Ｄの調整の介入は無いものと判断し、Ｓ−０．５０Ｄを加えてＤ値を元に戻して終了する（Ｓ１２０）。また、この３度目の応答において「ＧＲＥＥＮ」と応答されると、Ｓ＋１．０以上の過矯正であるから、レッド・グリーンテストを理解していないものと判断しエラーと判定して、他覚値に戻す（Ｓ１２１）。また、この３度目の応答において「同じ」と応答されると、Ｓ＋１．０Ｄを加えたにも関わらず何等変化がないので、このレッド・グリーンテストを理解していないものと判断しエラーと判定して、他覚値に戻す（Ｓ１２２）。
【００７９】
一方、最初の応答に続いて２度目の応答（Ｓ１１２）においても「ＧＲＥＥＮ」と応答されると、Ｓ＋０．５０Ｄ以上の過矯正と判断して、更にＳ＋０．５０Ｄを加え（Ｓ１２３）、３度目の応答を促す（Ｓ１２４）。この３度目の応答において「ＧＲＥＥＮ」と応答されると、Ｓ＋１．０以上の過矯正であることとなり、レッド・グリーンテストを理解していないものと判断しエラーと判定して、他覚値に戻す（Ｓ１２５）。同様に、この３度目の応答において「同じ」と応答されると、Ｓ＋１．０Ｄを加えたにも関わらず何等変化がないので、このレッド・グリーンテストを理解していないものと判断しエラーと判定して、他覚値に戻す（Ｓ１２６）。
【００８０】
また、３度目の応答（Ｓ１２４）において「ＲＥＤ」と応答された場合は、弱矯正に移行したものと判断し、半分のＳ−０．２５Ｄを加えて（Ｓ１２７）、４度目の応答を促す（Ｓ１２８）。この４度目の応答において「ＲＥＤ」と応答された場合はそのまま弱矯正に留めて終了する（Ｓ１２９）。また、「ＧＲＥＥＮ」と応答した場合、Ｓ−０．２５Ｄを加えたことで過矯正となったものと判断し、Ｓ＋０．２５Ｄを加え弱矯正として終了する（Ｓ１３０）。また、「同じ」と応答された場合は、この時点のＤ値をもって終了する（Ｓ１３１）。
【００８１】
最後に、最初の応答において「ＲＥＤ」と応答された場合の処理について、図２０を参照しながら説明する。最初の応答において「ＲＥＤ」と応答されると（Ｓ１０１；ＲＥＤ）、弱矯正であると判断しＳ−０．５０Ｄが加えられ（Ｓ１１１）、２度目の応答を促す（Ｓ１４２）。
【００８２】
この２度目の応答において「同じ」と応答されると、この時点のＤ値をもって終了する（Ｓ１４３）。
【００８３】
また、２度目の応答（Ｓ１４２）において「ＧＲＥＥＮ」と応答されると、過矯正となったものと判断し、Ｓ＋０．２５Ｄが加えられ（Ｓ１４４）、３度目の応答を促す（Ｓ１４５）。この３度目の応答において「ＲＥＤ」と応答されると、Ｓ＋０．２５Ｄを加えて弱矯正となったと判断して、この段階のＤ値を採用して終了する（Ｓ１４６）。また、この３度目の応答において「ＧＲＥＥＮ」と応答されると、Ｓ＋０．２５Ｄを加えてもなお過矯正であるものと判断し、更にＳ＋０．２５Ｄを加えて弱矯正として終了する（Ｓ１４７）。また、「同じ」と判断された場合は、この時点のＤ値をもって終了する（Ｓ１４８）。
【００８４】
一方、２度目の応答（Ｓ１４２）において「ＲＥＤ」と応答されると、Ｓ−０．５０Ｄ以上の弱矯正と判断して、更にＳ−０．５０Ｄを加え（Ｓ１４９）、３度目の応答を促す（Ｓ１５０）。この３度目の応答において「ＲＥＤ」と応答されると、Ｓ−１．０Ｄ以上の調節の介入があったこととなり、レッド・グリーンテストを理解していないものと判断しエラーと判定して、他覚値に戻す（Ｓ１５１）。この３度目の応答において「同じ」と応答された場合は、この時点のＤ値をもって終了する（Ｓ１５２）。
【００８５】
また、３度目の応答（Ｓ１５０）において「ＧＲＥＥＮ」と応答された場合は、過矯正に移行したものと判断し、半分のＳ＋０．２５Ｄを加えて（Ｓ１５３）、４度目の応答を促す（Ｓ１５４）。この４度目の応答において「ＲＥＤ」と応答されると、Ｓ＋０．２５Ｄを加えて弱矯正となったと判断して、この段階でのＤ値を採用して終了する（Ｓ１５５）。また、この３度目の応答において「ＧＲＥＥＮ」と応答されると、Ｓ＋０．２５Ｄを加えてもなお過矯正であるものと判断し、更にＳ＋０．２５Ｄを加えて弱矯正として終了する（Ｓ１５６）。また、「同じ」と判断された場合は、この時点のＤ値をもって終了する（Ｓ１５７）。
【００８６】
以上のような工程で被検者４の右眼ＥＲに対するレッド・グリーンテストは行われる。このような工程を採用することにより、次のような利点が奏されることとなる。まず、最初の応答から３度続けてボタン６ｇが押下されて「同じ」と応答されたときは、被検者４はレッド・グリーンテストを理解できず、赤または緑の判断ができないものとみなしてエラー判定を下し、Ｄ値を初期値である他覚値に戻してレッド・グリーンテストを終了するようになっている。また、最初の応答から３度続けて赤または緑が選択された場合にも同様のエラー処理が実行されるようになっている。したがって、レッド・グリーンテストに対する被検者４の理解能力をふるいに掛け、被検者に応じてその処理の流れを切り換えることが可能となる。
【００８７】
なお、エラーとなってレッド・グリーンテストが行われない場合には、次に説明する＋１Ｄぼかしテストが代わりに行われる。以上のレッド・グリーンテストが終了すると、被検者４の両眼には風景チャート９９が提示される。
【００８８】
（＋１Ｄぼかしテスト；Ｓ８）
右眼ＥＲへのレッド・グリーンテストによりエラー判定が下された場合には、その代わりに＋１Ｄぼかしテストが行われる。なお、＋１Ｄぼかしテストは、レッド・グリーンテストの他にも、両眼バランステストのテスト結果が疑わしい場合にそれらに代えて行われるテストである。この＋１Ｄぼかしテストは、他覚測定で得られた他覚値にＳ＋１．０Ｄを加えると視力値が０．５〜０．７程度に低下することが経験的に知られていることを利用したテストで、他覚値にＳ＋１．０Ｄを加えてやったときの視力値を測定し、その結果が０．５〜０．７であれば、その他覚値（Ｓ、Ｃ、Ａ）は正しいものと判断するものである。また、視力値が０．５未満の場合は弱矯正と判断し、視力値０．５が得られるまでマイナスのＤ値が加えられ、逆に視力値が０．７を超える場合には過矯正と判断して、視力値０．７が得られるまでプラスのＤ値が加えられる。なお、ターゲットとなる視力値は０．５〜０．７の範囲には限定されず、任意に選択することができる。また、ターゲットは幅を持たずに一定の視力値（例えば０．６）であっても良い。
【００８９】
図２１は、＋１Ｄぼかしテストの処理の流れを示すフローチャートである。＋１Ｄぼかしテストは、設定を他覚値に戻し、この他覚値にＳ＋１．０Ｄを加えることから始まる（Ｓ２０１）。このとき、左眼ＥＬ用の視標や融像枠はオフとされる。そして、他覚値にＳ＋１Ｄを加えた状態でランドルト環を提示し、視力検査を行う（Ｓ２０２）。視力検査で得られた視力値が０．５以上０．７以下である場合（Ｓ２０３）、Ｓ−１．０Ｄを加えて他覚値に戻して終了する（Ｓ２０４）。このＤ値は表示・メモリーされる。
【００９０】
視力検査で得られた視力値が０．５未満の場合（Ｓ２０３）、視力値０．５に対応する視標（ランドルト環）を呈示し（Ｓ２０５）、視力検査を行う（Ｓ２０６）。視力検査の結果、視力値が０．５以上であった場合は、Ｓ−１．０Ｄを加えて他覚値に戻して終了し（Ｓ２０４）、このＤ値を表示・メモリーする。また、視力検査の結果、視力値が再び０．５未満であった場合（Ｓ２０７）、Ｓ−０．２５Ｄを加えて（Ｓ２０８）、再度視力検査を行う（Ｓ２０６）。視力値が０．５以上となるまでＳ−０．２５Ｄを順次加えて視力検査を行い、−１Ｄを加えて終了し（Ｓ２０４）、得られたＤ値を表示・メモリーする。
【００９１】
また、視力検査で得られた視力値が０．７を超える場合（Ｓ２０３）、視力値０．７に対応する視標（ランドルト環）を呈示し（Ｓ２０９）、視力検査を行う（Ｓ２１０）。視力検査の結果、視力値が０．７以下であった場合は、Ｓ−１．０Ｄを加えて他覚値に戻して終了し（Ｓ２０４）、このＤ値を表示・メモリーする。また、視力検査の結果、視力値が再び０．７を超える場合（Ｓ２１１）、Ｓ＋０．２５Ｄを加えて（Ｓ２１２）、再度視力検査を行う（Ｓ２１０）。視力値が０．７以下となるまでＳ＋０．２５Ｄを順次加えて視力検査を行い、−１Ｄを加えて終了し（Ｓ２０４）、得られたＤ値を表示・メモリーする。
【００９２】
（クロスシリンダテスト；Ｓ９、Ｓ１０）
続いて、図２２ないし図３１、図３３および図３４を参照して、検眼装置２により行われるクロスシリンダテスト（ＣＣテスト）における処理の流れについて説明する。図２２は、ＣＣテストの全体の流れの概略を示すフロ−チャートである。図２３および図２６は、乱視軸を測定するためのＣＣテストに関するもので、図２３は、このＣＣテストの処理の流れを示すフローチャート、そして図２４は、このＣＣテストにおいて利用される確認テストの処理の流れを示すフローチャートで、図２５は、このＣＣテストに使用される視標を示す概略図で、図２６は、確認テストに使用されるイラストチャート４００の概略図である。なお、イラストチャートとは、日常見慣れた風景などを基にした複数段階の視力値に相当する視標を備えたチャートと定義する。視標３００は、クロスシリンダドットチャートと呼ばれるもので、液晶表示器５３によって表示されるようになっている。また、イラストチャート４００も同様に液晶表示器５３によって表示される。更に、図３３および図３４も乱視軸を測定するためのＣＣテストに関するもので、図３３は乱視度および軸角度を決定するために参照され、図３４は確認テストにおいて参照される。
【００９３】
一方、図２７ないし図３０は、乱視度を測定するためのＣＣテストに関するフローチャートで、図２７ないし図２９はこのＣＣテストの処理の流れを示し、図３０はこのＣＣテストにおいて利用される確認テストの処理の流れを示している。なお、図２５のクロスシリンダドットチャート３００および図２６のイラストチャートは、このＣＣテストにも使用される。また、図３１は、他覚値のＣ＝０Ｄかつ眼鏡のＣ値も０Ｄでありながら、乱視度確認検査およびクロスシリンダテストが行われ、乱視度処方がなされた場合に行われる確認テストの処理の流れを示すフローチャートである。
【００９４】
まず、図２２のフローチャートを参照しながら、検眼装置２による、被検者４の右眼ＥＲに対するＣＣテストの処理の概略を説明する。そのための準備として、まず、左眼ＥＬ用の視標照明光源がオフとされ、右眼ＥＲに対する本体部５ｒのオートアライメントが行われる。準備が完了すると、液晶表示器５３に図２５に示すクロスシリンダドットチャート３００を設定し、被検者４の両眼に提示される（Ｓ３０１）。続いて、両眼それぞれに対する球面度ＳにＳ−０．５Ｄを付加する（Ｓ３０２）。他覚測定による他覚値の乱視度Ｃが０Ｄであり（Ｓ３０３）、（眼鏡装用者の場合）メガネ度数が０Ｄ（Ｓ３０４）かつ他覚測定値による視力値が１．２以上（Ｓ３０５）である場合は、ＣＣテストを行わずスキップする（Ｓ３０６）。なお、他覚測定値による視力値の基準は１．２以上である必要はなく、例えば１．０以上など適宜設定することが可能である。
【００９５】
他覚測定値による視力値が１．２未満である場合（Ｓ３０５）、右眼ＥＲの視標照明光源をオフとし、等価球面度（ＳＥ）（＝Ｓ＋１／２・Ｃ）を一定にしてＣ−０．５０Ｄを加えた後（Ｓ３０７）、右眼ＥＲの視標照明光源をオンとしてＡ（１８０）／Ａ（９０）テストを行う（Ｓ３０８）。
【００９６】
このＡ（１８０）／Ａ（９０）テストは、次のようにして行われる。なお、クロスシリンダレンズ５９Ａ、５９Ｂにより軸角度は初期状態の１８０度に設定されている。まず「この１の見え方がよければレバーを左」とアナウンスを出力し、クロスシリンダドットチャート３００を注視させる。以下、この条件をＡ（１８０）とする。次に、右眼ＥＲの視標照明光源をオフとして軸角度を９０度に設定し（条件Ａ（９０）とする）、視標照明光源をオンとする。そして、「この２の見え方がよければレバーを右、同じならレバーのボタンを押してください」とアナウンスを出力し、クロスシリンダドットチャート３００を注視させる。更に、条件Ａ（１８０）とＡ（９０）とを交互に提示するとともに、上記のアナウンスを繰り返し出力する。左右いずれかにレバーが倒されるか、ボタンが押されるかしたら、その結果をメモリーする。以上で、このＡ（１８０）／Ａ（９０）テストは終了する。
【００９７】
Ａ（１８０）／Ａ（９０）テストが終了すると、次にＡ（４５）／Ａ（１３５）テストが行われる（Ｓ３０９）。まず、右眼ＥＲ用の視標照明光源をオフとし、クロスシリンダレンズ５９Ａ、５９Ｂを回動して軸角度を４５度に設定する。そして、視標照明光源をオンとし、「この１の見え方がよければレバーを左」とアナウンスを出力し、クロスシリンダドットチャート３００を注視させる。以下、この条件をＡ（４５）とする。次に、右眼ＥＲの視標照明光源をオフとして軸角度を１３５度に設定し（条件Ａ（１３５）とする）、視標照明光源をオンとする。そして、「この２の見え方がよければレバーを右、同じならレバーのボタンを押してください」とアナウンスを出力し、クロスシリンダドットチャート３００を注視させる。更に、条件Ａ（４５）とＡ（１３５）とを交互に提示するとともに、上記のアナウンスを繰り返し出力する。左右いずれかにレバーが倒されるか、ボタンが押されるかしたら、その結果をメモリーする。以上で、このＡ（４５）／Ａ（１３５）テストは終了する。
【００９８】
続いて、Ａ（１８０）／Ａ（９０）テストの結果とＡ（４５）／Ａ（１３５）テストの結果とを基に、図３３を参照して乱視度（図３３中に示すＣｙｌ）および乱視軸角度（同Ａｘｉｓ）を求め、その値をセットする（Ｓ３１０）。特に、Ａ（１８０）／Ａ（９０）テストおよびＡ（４５）／Ａ（１３５）テストの双方とも「同じ」と回答した場合はＣ＝０、Ａ＝１８０°として、クロスシリンダテストを終了する（Ｓ３０６）。
【００９９】
他覚のＣ値が０Ｄでない場合（Ｓ３０３）、他覚のＣ値が０Ｄでありかつ眼鏡のＣ値が０Ｄでない場合（Ｓ３０４）、および、他覚のＣ値が０Ｄであり、眼鏡のＣ値が０Ｄであり、他覚の視力値が１．２未満であり、かつ、図３３から得られたＣ値が０でない場合（Ｓ３０４）、乱視軸測定のためのＣＣテスト（Ｓ４００）および乱視度測定のためのＣＣテスト（Ｓ６００）を行い、クロスシリンダテストに関する処理を終了する（Ｓ３０６）。つまり、０ＤでないＣ値が一度でも得られた場合には、乱視軸測定および乱視度測定のためのＣＣテストが行われるようになっている。以下、乱視軸測定のためのＣＣテスト（Ｓ４００）および乱視度測定のためのＣＣテスト（Ｓ６００）について詳細に説明する。
【０１００】
（乱視軸を測定するためのクロスシリンダテスト）
図２３は、乱視軸測定のためのＣＣテスト（Ｓ４００）における処理を示すフローチャートである。このフローチャートには、最初のＣＣテストにおいて（Ａ＋）が選択された場合、および、最初のＣＣテストにおいて「同じ（＝）」が選択されかつ２回目以降のＣＣテストにおいて（Ａ＋）が選択された場合の処理の流れが示されている。最初のＣＣテストにおいて（Ａ−）が選択された場合、および、最初のＣＣテストにおいて（＝）が選択されかつ２回目以降のＣＣテストにおいて（Ａ−）が選択された場合については、図２３に示すケースと対称に処理が行われる。このとき、フローチャートのＳ４１１等に示す「Ａ＝Ａ＋α」を「Ａ＝Ａ−α」と読み替えて適用することとする。
【０１０１】
ここで、クロスシリンダテストに入る前にレッド・グリーンテスト等により得られた屈折力をＤθ、１（Ｓ１、Ｃ１、Ａ１）と記す。クロスシリンダレンズ５９Ａ、５９ＢをＣＣ±０．２５Ｄにセットする。このＣＣ±０．２５Ｄは、Ｓ２＝＋０．２５Ｄ、Ｃ２＝−０．５０Ｄと等価であるから、屈折力Ｄθ、２は、（０．２５，−０．５０，Ａ１±４５°）と表すことができる。
【０１０２】
最初のＣＣテスト（Ｓ４０１）は、次のようにして行われる。右眼ＥＲの視標照明光源をオフとし、Ｄθ、１とＡ１＋４５°の場合のＤθ、２との合成屈折力Ｄθ、０（Ｓ０、Ｃ０、Ａ０）をセットする。以下、この状態を（Ａ＋）と表す。右眼ＥＲの視標照明光源をオンとし、「この１の見え方がよければレバーを左」とアナウンスを出力し、クロスシリンダドットチャート３００を注視させる。次に、右眼ＥＲの視標照明光源をオフとし、Ｄθ、１とＡ１−４５°の場合のＤθ、２との合成屈折力Ｄθ、０（Ｓ０、Ｃ０、Ａ０）をセットする。以下、この状態を（Ａ−）と表す。視標照明光源をオンとし、「この２の見え方がよければレバーを右、同じならレバーのボタンを押してください」とアナウンスを出力し、クロスシリンダドットチャート３００を注視させる。更に、（Ａ＋）と（Ａ−）とを交互に提示するとともに、上記のアナウンスを繰り返し出力する。レバーｈが左に倒され場合はＡ１＝Ａ１＋α°とし、右に倒された場合はＡ１＝Ａ１−αとする。対応するＡ２もこれに伴って変化する。ここで、αは、例えば５°とできる。
【０１０３】
このように、被検者４は、（Ａ＋）と（Ａ−）とのうちよく見える方にレバー６ｈを倒すか、同じに見えるときにはボタン６ｇを押すかすることによりテストを進めていく。最初のＣＣテストでボタン６ｇが押された場合（Ｓ４０１；（＝））、軸角度Ａが１°≦Ａ＜４５°の場合は水平（１°）方向へ、軸角度Ａが４５°≦Ａ≦１３５°の場合は垂直（９０°）方向へ、軸角度Ａが１３５°＜Ａ≦４５°の場合は水平（１８０°）方向へ、５°送られるようになっている。ただし、８５°＜Ａ＜９５°の場合は９０°とし、１°≦Ａ≦５°および１７５°＜Ａ≦１８０°の場合は１８０°とする。
【０１０４】
被検者４による選択が（Ａ＋）から（Ａ−）に変わったとき、または、（Ａ−）から（Ａ＋）に変わったときに軸測定のためのＣＣテストは終了となる。このとき、選択が変わったときの角度から５°（α）を引いた角度や足した角度、また、選択が変わる前後の２つの角度の平均値などを測定結果として採用することができる。
【０１０５】
また、（Ａ＋）や（Ａ−）から「同じ」に選択が変わったときは、「同じ」となる前の状態と同じ方向に５°送られる。そしてＣＣテストを行い、先程とは逆の状態が選択された場合には、逆方向に５°戻して終了するようになっている。
【０１０６】
以下、図２３に示すフローチャートに従って、乱視軸角度測定のためのＣＣテストの処理の流れについて具体的に説明する。
【０１０７】
最初のＣＣテストの結果が「同じ（＝）」である場合（Ｓ４０１）、上記の要領で、軸角度に応じて水平または垂直方向にαだけ送られ（上述のように水平または垂直方向とされることもある。）（Ｓ４０２）、この状態でＣＣテストを行う（Ｓ４０３）。その結果、再び（＝）とされた場合、被検者４は軸角度変換に対する感度が鈍く、ＣＣ±０．２５Ｄでは判断できないものとみなし、軸角度を初期値に戻すとともに（Ｓ４０４）、クロスシリンダレンズ５９Ａ、５９ＢをＣＣ±０．５０Ｄに設定し（Ｓ４０５）、この状態でＣＣテストを行う（Ｓ４０６）。即ち、当該被検者のクロスシリンダテストに対する判断能力を確認するために、クロスシリンダ５９Ａ、５９Ｂの屈折力を±０．２５Ｄから±０．５０Ｄに変換されるようパルスモーターＰＭａが制御されるようになっている。その結果がまた（＝）であるときは、Ｓ４０２と同様に軸角度をαだけ送り（Ｓ４０７）、ＣＣテストを行う（Ｓ４０８）。このＣＣテストの結果が（＝）であるときは、被検者４はクロスシリンダテストによる軸角度測定を理解していないものと判断し、軸角度を初期値に復帰させ（Ｓ４０９）、乱視度数を測定するためのＣＣテストに移行する（Ｓ４１０）。以下、乱視度数を測定するためのＣＣテストを「度のＣＣテスト」と略記する。
【０１０８】
一方、上記のいずれかのＣＣテストにおいて、（Ａ＋）が選択された場合（Ｓ４０１，Ｓ４０３，Ｓ４０６，Ｓ４０８）、角度αだけ送り軸角度Ａ＝Ａ＋αとして（Ｓ４１１）、ＣＣテストを行う（Ｓ４１２）。（Ａ−）が選択された場合は、Ａ＝Ａ−ａとし元の角度に戻して終了する（Ｓ４１３）。
【０１０９】
また、Ｓ４１２のＣＣテストにおいて（＝）とされた場合、更にＡ＝Ａ＋αとして（同じ方向に更にαだけ送って）（Ｓ４１４）、ＣＣテストを行う（Ｓ４１５）。このＣＣテストの結果が（Ａ−）である場合は、Ａ＝Ａ−ａとして終了する（Ｓ４１６）。なお、このとき得られる値はＡ＋αである。また、このＣＣテストの結果が（Ａ＋）である場合は、軸角度を初期値に戻して（Ｓ４１７）、度のＣＣテストに移行する（Ｓ４１８）。このＣＣテストの結果が（＝）である場合も同様に、軸角度を初期値に戻して（Ｓ４１９）、度のＣＣテストに移行する（Ｓ４２０）。
【０１１０】
また、Ｓ４１２のＣＣテストにおいて（Ａ＋）とされた場合、更にＡ＝Ａ＋αとして（Ｓ４２１）、ＣＣテストを行う（Ｓ４２２）。このＣＣテストの結果が（Ａ−）である場合は、Ａ＝Ａ−ａとして終了する（Ｓ４２３）。また、このＣＣテストの結果が（＝）である場合は、軸角度を初期値に戻して（Ｓ４２４）、度のＣＣテストに移行する（Ｓ４２５）。このＣＣテストの結果が（Ａ＋）である場合には、次に説明する確認テストを行う（Ｓ４２６）。
【０１１１】
Ｓ４２６の確認テストは、最初から３回続けて（Ａ＋）または（Ａ−）が選択されたときに、被検者のクロスシリンダテストに対する判断能力を検証するために行われる検証試験である。つまり、提示される視標の違いを判断できていない可能性を考慮して行われるものである。なお、同じ内容の応答が何度連続した場合に確認テストを実施するかについて、検者等は任意の回数を設定することができる。図２４は、この確認テストおよびその判断により更に実行されるＣＣテストの処理の流れを示すフローチャートである。
【０１１２】
まず、図２６に示すようなイラストチャートを呈示し（Ｓ５０１）、レッド・グリーンテスト後の測定値Ｄθ、１（初期値）による見え方１と、ここでの測定値Ｄθ、１’（Ａ＝Ａ＋２αに対応している；現在値）による見え方２とを交互に切り換え、「この１の見え方の方が良ければ左、この２の見え方の方が良ければ右にレバーを倒してください。同じならボタンを押してください。」と繰り返しアナウンスを出力し、第１確認テストを行う（Ｓ５０２）。
【０１１３】
被検者４がＤθ、１’（見え方２，レバー６ｈを右）を選択した場合、被検者４は正しく応答しているものと判断し、ＣＣテストに戻る（Ｓ５０３）。このＣＣテストにおいて、更に（Ａ＋）または（Ａ−）が繰り返され、図３４に示す（限界）角度にまで達した場合（Ｓ５０４，Ｓ５０５）、被検者４はＣＣテストを判断できないものとみなし、初期値Ｄθ、１に戻して乱視軸を測定するためのＣＣテスト（以下、軸のＣＣテストと略称する）を終了し（Ｓ５０６）、度のＣＣテストに進む（Ｓ５０７）。
【０１１４】
また、Ｓ５０２の第１確認テストにおいて「同じ」が選択された場合、被検者４は軸のＣＣテストを判断できないものとみなし、初期値Ｄθ、１に戻し（Ｓ５０８）、終了する（Ｓ５０９）。
【０１１５】
一方、Ｓ５０２の第１確認テストにおいてＤθ、１が選択された場合、この屈折力を設定し、（Ａ＋）と（Ａ−）とを交互に提示するとともに、「この１の見え方の方が良ければ左、この２の見え方の方が良ければ右にレバーを倒してください。同じならボタンを押してください。」と繰り返しアナウンスを出力して第２確認テストを行う（Ｓ５１１）（第１の試験）。このテストにおいて（＝）が選択されたら、被検者４は軸のＣＣテストを判断できないものとみなし、初期値Ｄθ、１に戻し（Ｓ５１２）、度のＣＣテストに移行する（Ｓ５１３）。
【０１１６】
また、Ｓ５１１の第２確認テストにおいて（Ａ−）が選択されたときは、（Ａ−）が選択されたことをメモリーし（Ｓ５１４）、（Ａ−）と（Ａ＋）とを切り換えて（Ｓ５１５）、これらを交互に提示してアナウンスを出力しながらＣＣテストを行う（Ｓ５１６）（第２の試験）。このＣＣテストにおいて（＝）が選択されたら、被検者４は軸のＣＣテストを判断できないものとみなし、初期値Ｄθ、１に戻し（Ｓ５１７）、度のＣＣテストに移行する（Ｓ５１８）。
【０１１７】
また、Ｓ５１６のＣＣテストにおいて（Ａ−）が選択されたときは、（Ａ−）が選択されたことをメモリーし（Ｓ５１９）、切り換え前のＣＣテスト（Ｓ５１１）の結果と比較する。この場合、（Ａ−）と（Ａ＋）とが切り換えられたにも関わらず、切り換えの前後においてともに（Ａ−）と応答しているので、ＣＣテストが正しく行われていないと判断し、「チャートをよく見てください。」と指示を出力する（Ｓ５２０）。そして、出力するアナウンスを「このＡの見え方の方が良ければ左、このＢの見え方の方が良ければ右にレバーを倒してください。同じならボタンを押してください。」に変更し（Ｓ５２１）、初期値Ｄθ、１をセットして（Ｓ５２２）、軸のＣＣテストを行う（Ｓ５２３）。
【０１１８】
また、Ｓ５１６のＣＣテストにおいて（Ａ＋）が選択されたときは、（Ａ＋）が選択されたことをメモリーし（Ｓ５２４）、切り換え前のＣＣテスト（Ｓ５１１）の結果と比較する。この場合、（Ａ−）と（Ａ＋）とが切り換えられたことに対応して反対のものが選択されていることから、ＣＣテストは正しく行われているものと判断し、初期値Ｄθ、１に戻して（Ｓ５２５）、軸のＣＣテストを行う（Ｓ５２６）。
【０１１９】
一方、Ｓ５１１の第２確認テストにおいて（Ａ＋）が選択されたときは、（Ａ＋）が選択されたことをメモリーし（Ｓ５２７）、（Ａ−）と（Ａ＋）とを切り換えて（Ｓ５２８）、これらを交互に提示してアナウンスを出力しながらＣＣテストを行う（Ｓ５２９）（第２の試験）。このＣＣテストにおいて（＝）が選択されたら、被検者４は軸のＣＣテストを判断できないものとみなし、初期値Ｄθ、１に戻し（Ｓ５３０）、度のＣＣテストに移行する（Ｓ５３１）。
【０１２０】
また、Ｓ５２９のＣＣテストにおいて（Ａ−）が選択されたときは、（Ａ−）が選択されたことをメモリーし（Ｓ５３２）、切り換え前のＣＣテスト（Ｓ５１１）の結果と比較する。この場合、（Ａ−）と（Ａ＋）とが切り換えられたことに対応して反対のものが選択されていることから、ＣＣテストは正しく行われているものと判断し、初期値Ｄθ、１に戻して（Ｓ５３３）、再度軸のＣＣテストを行う（Ｓ５３４）。
【０１２１】
また、Ｓ５２９のＣＣテストにおいて（Ａ＋）が選択されたときは、（Ａ＋）が選択されたことをメモリーし（Ｓ５３５）、切り換え前のＣＣテスト（Ｓ５１１）の結果と比較する。この場合、（Ａ−）と（Ａ＋）とが切り換えられたにも関わらず、切り換えの前後においてともに（Ａ＋）と応答しているので、ＣＣテストが正しく行われていないと判断し、「チャートをよく見てください。」と指示を出力する（Ｓ５３６）。そして、出力するアナウンスを「「このＡの見え方の方が良ければ左、このＢの見え方の方が良ければ右にレバーを倒してください。同じならボタンを押してください。」に変更し（Ｓ５３７）、初期値Ｄθ、１をセットして（Ｓ５３８）、軸のＣＣテストを行う（Ｓ５３９）。以上で、処理を終了する。
【０１２２】
なお、Ｓ５２０やＳ５３７で、ＣＣテストの際に出力するアナウンスにおける屈折力が付与された視標の状態の呼称を「１，２」から「Ａ、Ｂ」に変更するのは、１、２から選択させた場合に常に１と応答するような被検者がいることが経験的に知られているからである。もちろん、「Ａ、Ｂ」以外の他の呼称を用いても良い。
【０１２３】
（乱視度を測定するためのクロスシリンダテスト）
乱視軸を測定するためのＣＣテストが終了すると、乱視度を精密に測定するためのＣＣテストが行われる（図２７ないし図２９参照）。まず、初期設定を行う（Ｓ６０１）。この初期設定は、クロスシリンダレンズ５９Ａ、５９ＢをＣＣ±０．２５Ｄとし、更に後述のエラーカウンター、カウンター（＝）、カウンター（＋）およびカウンター（−）を全て０とするものである。なお、ＣＣ＋０．２５はＳ２＝＋０．２５Ｄ、Ｃ２＝−０．５０Ｄと等価なので、屈折力Ｄθ、２は（０．２５、−０．５０、Ａ１＋９０°）と、その反転の（０．２５、−０．５０、Ａ１）とにより表される。
【０１２４】
最初に行うＣＣテスト（Ｓ６０２）は、次のようにして行われる。乱視軸の測定終了後のＤθ、１（Ｓ１、Ｃ１、Ａ１）とクロスシリンダレンズ５９Ａ、５９Ｂの軸角度Ａ２＝Ａ１＋９０°の場合のＤθ、２との合成屈折力Ｄθ、０（Ｓ０、Ｃ０、Ａ０）をセットする。以下、この状態を（Ｐ＋）と表す。右眼ＥＲの視標照明光源をオンとし、「この１の見え方がよければレバーを左」とアナウンスを出力し、クロスシリンダドットチャート３００を注視させる。次に、右眼ＥＲの視標照明光源をオフとし、Ｄθ、１とＡ２＝Ａ１の場合のＤθ、２との合成屈折力Ｄθ、０（Ｓ０、Ｃ０、Ａ０）をセットする。以下、この状態を（Ｐ−）と表す。視標照明光源をオンとし、「この２の見え方がよければレバーを右、同じならレバーのボタンを押してください」とアナウンスを出力し、クロスシリンダドットチャート３００を注視させる。更に、（Ｐ＋）と（Ｐ−）とを交互に提示するとともに、上記のアナウンスを繰り返し出力する。（Ｐ＋）が選択されレバーｈが左に倒された場合はＣ１に＋０．２５Ｄを加え、右に倒されて（Ｐ−）が選択された場合はＣ１に−０．２５Ｄを加える。等価球面度ＳＥで比較して０．２５Ｄ以上変化する場合は、この等価球面度を維持するよう球面度に＋０．２５Ｄあるいは−０．２５Ｄが加えられるようになっている。
【０１２５】
このＣＣテストでは、上記のように（Ｐ−）および（Ｐ＋）のうちよく見える方の状態を示すように応答する。最初のＣＣテストにおいて「同じ（＝）」が選択されると、右眼ＥＲの乱視度（Ｃ値）に従い、Ｃ≦−０．５０Ｄならば＋０．２５Ｄを加え、Ｃ＞−０．５０Ｄ（つまり−０．２５Ｄ）ならば−０．２５Ｄを加える。また、被検者４による選択が（Ｐ＋）から（Ｐ−）に変わったとき、または、（Ｐ−）から（Ｐ＋）に変わったら、他覚測定で得た乱視度に近い方の値を選択してＣＣテストは終了となる。また、乱視度が０Ｄとなったときは、その時点で終了する。
【０１２６】
なお、Ｓ６０２の最初のＣＣテストにおいて（Ｐ−）または（Ｐ＋）が選択された場合については、図２８，図２９に基づき後述することとする。
【０１２７】
Ｓ６０２のＣＣテストにおいて（＝）が選択されると、（＝）が選択された回数をカウントするカウンター（＝）に１を付加する（Ｓ６０３）。次にカウンター（＝）のカウント値が２であるか否かチェックする（Ｓ６０４）。カウンター（＝）＝２である場合は、クロスシリンダレンズ５９Ａ、５９ＢのパワーをＣＣ±０．２５ＤからＣＣ±０．５０Ｄに変換し（Ｓ６０５）、被検者の判断能力を確認するための後述の確認テストを行う（Ｓ６０６）。確認テストの結果が良ければ（ＧＯＯＤ）、度のＣＣテストを継続する。Ｓ６０４でカウント値が２でないときには、クロスシリンダレンズ５９Ａ、５９Ｂのパワー変換も確認テストも行わずに、Ｓ６０７まで移行する。
【０１２８】
ここで、乱視度Ｃの値を確認し（Ｓ６０７）、Ｃが０Ｄであれば、Ｃ＝０Ｄ、Ａ＝１８０°として終了する（Ｓ６０８）。また、Ｃ＝０Ｄでなければ、直前のＣＣテストにおける選択が（＝）かどうか確認し（Ｓ６０９）、（＝）であれば乱視度Ｃ＝Ｃ＋０．２５として（Ｓ６１０）、再びＣＣテストを行う（Ｓ６０２へ）。また、（＝）でなければ、直前のＣＣテストで（Ｐ−）を選択したかどうか確認する（Ｓ６１１）。（Ｐ−）であれば、乱視度Ｃに＋０．２５を加えて終了する（Ｓ６１２）。また、（Ｐ−）でなければ、直前のＣＣテストで（Ｐ＋）を選択したかどうか確認する（Ｓ６１３）。（Ｐ＋）であれば、乱視度Ｃに＋０．２５を加えて終了する（Ｓ６１４）。（Ｐ＋）でなければ、乱視度Ｃ＝Ｃ＋０．２５として（Ｓ６１５）、再びＣＣテストを行う（Ｓ６０２へ）。
【０１２９】
また、Ｓ６０６の確認テストの結果が良くなかった場合（ＮＧ）、エラーの回数をカウントするエラーカウンターのカウントに１を付加する（Ｓ６１６）。そして、累積エラーカウントが２であるか否か確認する（Ｓ６１７）。エラーカウントが２ならば、初期値に戻して（６１８）、終了する（Ｓ６１９）。また、エラーカウントが２でなければ、初期設定に復帰させ（Ｓ６０１）、再度ＣＣテストを行う。
【０１３０】
このような構成とすることにより、最初のＣＣテストから２度続けて（＝）が選択されたときは、クロスシリンダレンズ５９Ａ、５９Ｂのパワーを±０．２５Ｄから±０．５０Ｄに上げて確認テストを行うこととなる。そして、確認テストの結果に応じてテストの継続か、または設定をリセットしての再測定かが判断される。再測定においても２度続けて（＝）が選択され、かつ、再度の確認テスト結果もＮＧだったときは、被検者４は、このＣＣテストにおける判断能力がないものとして、レッド・グリーンテストの結果を採用して終了する。
【０１３１】
続いて、Ｓ６０２の最初のＣＣテストにおいて（Ｐ−）が選択されたときの処理の流れについて、図２８を参照して説明する。最初のＣＣテストにおいて（Ｐ−）が選択されると、（Ｐ−）が選択された回数をカウントするカウンター（−）のカウント値に１が付加される（Ｓ６２１）。次に、カウンター（−）のカウント値が３であるか否か確認をする（Ｓ６２２）。カウンター（−）＝３であれば、クロスシリンダレンズ５９Ａ、５９ＢのパワーをＳ６０５と同様にＣＣ±０．５０Ｄに変換し（Ｓ６２３）、後述の確認テストを行う（Ｓ６２４）。確認テストの結果が良ければ（ＧＯＯＤ）、度のＣＣテストを継続する。Ｓ６２２でカウント値が３でないときには、クロスシリンダレンズ５９Ａ、５９Ｂのパワー変換も確認テストも行わずに、Ｓ６２５まで移行する。
【０１３２】
次に、直前のＣＣテストにおける選択が（Ｐ−）かどうか確認し（Ｓ６２５）、（Ｐ−）であれば乱視度Ｃ＝Ｃ−０．２５として（Ｓ６２６）、再びＣＣテストを行う（Ｓ６０２へ）。また、（Ｐ−）でなければ、直前のＣＣテストで（Ｐ＋）を選択したかどうか確認する（Ｓ６２７）。（Ｐ＋）であれば、他覚値に近い方の乱視度を採用して終了する（Ｓ６２８）。また、（Ｐ−）でなければ、直前のＣＣテストで（＝）を選択したかどうか確認する（Ｓ６２９）。（＝）であれば、他覚値に近い方の乱視度を採用して終了する（Ｓ６２８）。（＝）でなければ、乱視度Ｃ＝Ｃ−０．２５として（Ｓ６３０）、再びＣＣテストを行う（Ｓ６０２へ）。
【０１３３】
また、Ｓ６２４の確認テストの結果が良くなかった場合（ＮＧ）、エラーカウントに１を付加する（Ｓ６３１）。そして、累積エラーカウントが２であるか否か確認する（Ｓ６３２）。エラーカウントが２ならば、初期値に戻して（６３３）、終了する（Ｓ６３４）。また、エラーカウントが２でなければ、初期設定に復帰させ（Ｓ６０１）、再度ＣＣテストを行う。
【０１３４】
続いて、Ｓ６０２の最初のＣＣテストにおいて（Ｐ＋）が選択されたときの処理の流れについて、図２９を参照して説明する。最初のＣＣテストにおいて（Ｐ＋）が選択されると、（Ｐ＋）が選択された回数をカウントするカウンター（＋）のカウント値に１が付加される（Ｓ６４１）。次に、カウンター（＋）のカウント値が３であるか否か確認をする（Ｓ６４２）。カウンター（＋）＝３であれば、クロスシリンダレンズ５９Ａ、５９ＢのパワーをＳ６０５と同様にＣＣ±０．５０Ｄに変換し（Ｓ６４３）、後述の確認テストを行う（Ｓ６４４）。確認テストの結果が良ければ（ＧＯＯＤ）、度のＣＣテストを継続する。Ｓ６４２でカウント値が３でないときには、クロスシリンダレンズ５９Ａ、５９Ｂのパワー変換も確認テストも行わずに、Ｓ６４５まで移行する。
【０１３５】
次に、乱視度Ｃの値を確認し（Ｓ６４５）、Ｃが０Ｄであれば、Ｃ＝０Ｄ、Ａ＝１８０°として終了する（Ｓ６４６）。また、Ｃ＝０Ｄでなければ、直前のＣＣテストにおける選択が（Ｐ＋）かどうか確認し（Ｓ６４７）、（Ｐ＋）であれば乱視度Ｃ＝Ｃ＋０．２５として（Ｓ６４８）、再びＣＣテストを行う（Ｓ６０２へ）。また、（Ｐ＋）でなければ、直前のＣＣテストで（＝）を選択したかどうか確認する（Ｓ６４９）。（＝）であれば、そのまま再度ＣＣテストを行う（Ｓ６０２へ）。また、（＝）でなければ、直前のＣＣテストで（Ｐ−）を選択したかどうか確認する（Ｓ６５０）。（Ｐ−）であれば、他覚値に近い方の乱視度を採用して終了する（Ｓ６５１）。（Ｐ−）でなければ、乱視度Ｃ＝Ｃ＋０．２５として（Ｓ６５２）、再びＣＣテストを行う（Ｓ６０２へ）。
【０１３６】
また、Ｓ６４４の確認テストの結果が良くなかった場合（ＮＧ）、エラーカウントに１を付加する（Ｓ５３５）。そして、累積エラーカウントが２であるか否か確認する（Ｓ６５４）。エラーカウントが２ならば、初期値に戻して（６５５）、終了する（Ｓ６５６）。また、エラーカウントが２でなければ、初期設定に復帰させ（Ｓ６０１）、再度ＣＣテストを行う。
【０１３７】
このような構成としたことで、最初の応答から続けて３回連続して（Ｐ＋）または（Ｐ−）と選択された場合、クロスシリンダレンズ５９Ａ、５９Ｂのパワーを±０．２５Ｄから±０．５０Ｄに上げて確認テストを行うこととなる。そして、確認テストの結果に応じてテストの継続か、または設定をリセットしての再測定かが判断される。再測定においても３度続けて（Ｐ＋）または（Ｐ−）が選択され、かつ、再度の確認テスト結果もＮＧだったときは、被検者４は、このＣＣテストにおける判断能力がないものとして、レッド・グリーンテストの結果を採用して終了する。
【０１３８】
続いて、Ｓ６０６，Ｓ６２４およびＳ６４４で行われる確認テスト（検証試験）の詳細について、図３０を参照しながら説明する。まず、クロスシリンダレンズ５９Ａ、５９Ｂのパワーを変換し（Ｓ７０１）、初期値Ｄθ、１に戻す（Ｓ７０２）。そして、（Ｐ＋）と（Ｐ−）とを交互に提示するとともに、「この１の見え方がよければレバーを左、この２の見え方がよければレバーを右、同じならレバーのボタンを押してください」と繰り返しアナウンスを出力して、ＣＣテストを行う（Ｓ７０３）（第１の試験）。（＝）が選択されたら、初期値に戻し（Ｓ７０４）、度のＣＣテストの再テストを行う（Ｓ７０５）。
【０１３９】
Ｓ７０３のＣＣテストにおいて（Ｐ＋）が選択されたときは、（Ｐ＋）が選択されたことをメモリーし（Ｓ７０６）、（Ｐ−）と（Ｐ＋）とを切り換えて（Ｓ７０７）、これらを交互に提示してアナウンスを出力しながらＣＣテストを行う（Ｓ７０８）（第２の試験）。このＣＣテストにおいて（＝）が選択されたら、被検者４は軸のＣＣテストを判断できないものとみなし、初期値Ｄθ、１に戻し（Ｓ７０９）、度のＣＣテストの再テストを行う（Ｓ７１０）。
【０１４０】
また、Ｓ７０８のＣＣテストにおいて（Ｐ−）が選択されたときは、（Ｐ−）が選択されたことをメモリーし（Ｓ７１１）、切り換え前のＣＣテスト（Ｓ７０３）の結果と比較する。この場合、（Ｐ−）と（Ｐ＋）とが切り換えられたことに対応して反対のものが選択されていることから、ＣＣテストは正しく行われているものと判断し、度のＣＣテストを継続する（Ｓ７１２）。
【０１４１】
また、Ｓ７０８のＣＣテストにおいて（Ｐ＋）が選択されたときは、（Ｐ＋）が選択されたことをメモリーし（Ｓ７１３）、切り換え前のＣＣテスト（Ｓ７０３）の結果と比較する。この場合、（Ｐ−）と（Ｐ＋）とが切り換えられたにも関わらず、切り換えの前後においてともに（Ｐ＋）と応答しているので、ＣＣテストが正しく行われていないと判断し、初期値Ｄθ、１に戻して（Ｓ７１４）、度のＣＣテストの再テストを行う（Ｓ７１５）。
【０１４２】
Ｓ７０３のＣＣテストにおいて（Ｐ−）が選択されたときは、（Ｐ−）が選択されたことをメモリーし（Ｓ７１６）、（Ｐ−）と（Ｐ＋）とを切り換えて（Ｓ７１７）、これらを交互に提示してアナウンスを出力しながらＣＣテストを行う（Ｓ７１８）（第２の試験）。このＣＣテストにおいて（＝）が選択されたら、被検者４は軸のＣＣテストを判断できないものとみなし、初期値Ｄθ、１に戻し（Ｓ７１９）、度のＣＣテストの再テストを行う（Ｓ７２０）。
【０１４３】
また、Ｓ７１８のＣＣテストにおいて（Ｐ＋）が選択されたときは、（Ｐ＋）が選択されたことをメモリーし（Ｓ７２１）、切り換え前のＣＣテスト（Ｓ７０３）の結果と比較する。この場合、（Ｐ−）と（Ｐ＋）とが切り換えられたことに対応して反対のものが選択されていることから、ＣＣテストは正しく行われているものと判断し、度のＣＣテストを継続する（Ｓ７２２）。
【０１４４】
また、Ｓ７１８のＣＣテストにおいて（Ｐ−）が選択されたときは、（Ｐ−）が選択されたことをメモリーし（Ｓ７２３）、切り換え前のＣＣテスト（Ｓ７０３）の結果と比較する。この場合、（Ｐ−）と（Ｐ＋）とが切り換えられたにも関わらず、切り換えの前後においてともに（Ｐ−）と応答しているので、ＣＣテストが正しく行われていないと判断し、初期値Ｄθ、１に戻して（Ｓ７２４）、度のＣＣテストの再テストを行う（Ｓ７２５）。以上で、度のＣＣテストにおける確認テストは終了する。なお、この確認テストは、最初のＣＣテストから１度（＝）が選択されて確認テストに入った場合も、２度（＝）が選択されて確認テストに入った場合も、上記の要領で同様に処理されるようになっている。
【０１４５】
このような確認テストにより、度のＣＣテストを行うための被検者４の判断能力をふるいに掛けることができる。
【０１４６】
ＣＣテストに関する処理の最後として、他覚値のＣ＝０Ｄかつ眼鏡のＣ値も０Ｄである場合に行われる確認テストの処理の流れについて、図３１を参照しながら説明する。この確認テストは、図２２のＣＣテストの全体の流れを示すフローチャートにおいて、Ｓ３０３でＣ＝０Ｄ、Ｓ３０４でもＣ＝０Ｄと進んだ被検者に対して行われるものである。
【０１４７】
図２２の流れに沿ってＣＣテストが終了すると（Ｓ８０１）、測定された乱視度の値を判断する（Ｓ８０２）。乱視度の測定値Ｃが−０．５０Ｄ未満（Ｃ＜−０．５０Ｄ）ならば、この測定値（自覚値）Ｃを採用して終了する（Ｓ８０３）。一方、乱視度の測定値Ｃが−０．５０Ｄ以上（Ｃ≧−０．５０Ｄ）ならば、図２６に示すイラストチャート４００を呈示し（Ｓ８０４）、ＣＣテストによる自覚値の等価球面度（ＳＥ；見え方１）と、この自覚値自体（Ｃ；見え方２）とを交互に切り換えるとともに、「この１の見え方がよければレバーを左、この２の見え方がよければレバーを右、同じならレバーのボタンを押してください」と繰り返しアナウンスを出力して、選択を促す（８０５）。レバー６ｈが左に倒されて等価球面度（１）が選択された場合、または、ボタン５ｇが押下されて同じ（＝）が選択された場合は、等価球面度の値が採用して終了する（Ｓ８０６，Ｓ８０７）。また、レバー６ｈが右に倒されて自覚値（２）が選択された場合には、自覚値を採用して終了する（Ｓ８０８）。
【０１４８】
このような確認テストを行うことにより、ＣＣテストにより得られた自覚値が０Ｄで、眼鏡の乱視度も０Ｄである場合の検査結果の信頼性を向上させることが可能となる。
【０１４９】
以上で、被検者４の右眼ＥＲに対する自覚測定（図１６のＳ６ないしＳ１０）が終了する。
【０１５０】
（左眼に対する自覚測定；Ｓ１１〜Ｓ１５）
被検者４の右眼ＥＲに対する自覚測定が終了すると、左眼ＥＬに対する自覚測定が実行される。この左眼ＥＬに対する自覚測定では、図１６に示すＳ１１の左眼ＥＬの視力測定はＳ６の右眼ＥＲの視力測定と同様に行われ、Ｓ１２の左眼ＥＬのレッド・グリーンテストはＳ７の右眼ＥＲのレッド・グリーンテストと同様に行われ、Ｓ１３の左眼ＥＬの＋１ＤぼかしテストはＳ８の右眼ＥＲの＋１Ｄぼかしテストと同様に行われ、Ｓ１４の左眼ＥＬの乱視軸測定のためのＣＣテストはＳ９の右眼ＥＲの乱視軸測定のためのＣＣテストと同様に行われ、Ｓ１５の左眼ＥＬの乱視度測定のためのＣＣテストはＳ１０の右眼ＥＲの乱視度測定のためのＣＣテストと同様に行われるようになっている。したがって、左眼ＥＬに対する自覚測定の詳細に関する説明は、右眼ＥＲの対応するテストの詳細を適宜読み替えることにより省略することとする。
【０１５１】
（両眼バランステスト；Ｓ１６）
右眼ＥＲおよび左眼ＥＬに対する自覚測定が終了すると、両眼バランステストが行われる。この両眼バランステストは、レッド・グリーンチャート１００および融像枠チャート５３Ｄを提示して、右眼ＥＲ、左眼ＥＬに対してそれぞれ行われたＣＣテストの自覚値を再調整するための公知の検査である。
【０１５２】
（＋１Ｄぼかしテスト；Ｓ１７）
なお、両眼バランステストの処理の流れの中にも、このテストにおける被検者４の判断能力の有無を確認するための工程が含まれており、これにより判断能力が無いものとみなされた被検者に対しては、上述したような＋１Ｄぼかしテストが両眼バランステストの代わりに実行されるようになっている。
【０１５３】
（自覚値、眼鏡度数、裸眼による視力測定、確認テスト；Ｓ１８〜Ｓ２１）
両眼バランステスト（＋１Ｄぼかしテスト）が終了すると、これにより得られた自覚値Ｓ、Ｃ、Ａ値をセットし、「お客様にお勧めするメガネ度数を求めました。ついでこのメガネ度数で視力検査を行います。」とアナウンスし、右眼ＥＲ、左眼ＥＬおよび両眼の視力測定を行う（Ｓ１８）。次に、図１６のＳ２で測定された被検者４が装用する眼鏡の度数をセットし、同様に視力測定を行う（Ｓ１９）。更に、同様に、裸眼の視力測定を行う（Ｓ２０）。なお、被検者４が眼鏡装用者でない場合には、Ｓ１９の視力測定を行わないことは言うまでもない。
【０１５４】
続いて、自覚値、眼鏡度数および裸眼による視力の測定結果を基に、どの度数が被検者４に最も適しているかを確認するための確認テストを行う。まず、「裸眼の見え方と、今の眼鏡の見え方と、今回お客様にお勧めするメガネの見え方をお見せします。」とアナウンスする。なお、モニター装置６４ｑの表示画面６４ｑ’に、被検者４に見せている測定結果を白ラインまたは白四角でその都度示すようにする。
【０１５５】
「裸眼の見え方を示します。」とアナウンスし、両眼ともＳ、Ｃ値を０Ｄとして被検者４に風景チャート９９を例えば３秒間注視させる。次いで、「いまご使用になっているメガネによる見え方を示します。」とアナウンスし、Ｓ、Ｃ、Ａ値を眼鏡の度数測定値にセットし、風景チャート９９を例えば３秒間注視させる。次に、「今回お客様にお勧めするメガネでは、この位見えるようになります。」とアナウンスし、両眼バランステスト結果によるＳ、Ｃ、Ａ値（推奨屈折度）をセットし、風景チャート９９を例えば３秒間注視させる。そして、「今回お客様にお勧めするメガネの見え方です。一般的に見やすく、疲れにくいこの見え方でよろしければ、レバー（６ｈ）のボタン（６ｇ）を押して下さい。」とアナウンスして、例えば４秒間提示する。
【０１５６】
この４秒間の間にボタン６ｇが押下されたら、推奨屈折度を選択屈折度として終了する。
【０１５７】
また、４秒間ボタン６ｇが押下されなかったら、「いまご使用になっているメガネによる見え方を確認したい場合には、レバー（６ｈ）を右に倒してください。」とアナウンスして、例えば４秒間提示し、この４秒間の間にレバー６ｈの操作がなされなかった場合には、推奨屈折度を選択屈折度として終了する。
【０１５８】
また、この４秒間の間にレバー６ｈが右に倒された場合は、両眼に眼鏡の度数をセットし、「いまご使用になっているメガネの見え方です。これで宜しければ、レバー（６ｈ）のボタン（６ｇ）を押して下さい。」とアナウンスして、例えば４秒間提示する。この４秒間の間にボタン６ｇが押下されたら、眼鏡度数を選択屈折度として終了する。
【０１５９】
４秒間の間にボタン６ｇが押下されなかったら、「お客様にお勧めするメガネの見え方を確認したい場合、レバー（６ｈ）を左に倒してください。」とアナウンスし、例えば４秒間提示する。この４秒の間にレバー６ｈが操作されなかった場合、推奨屈折度を選択屈折度として終了する。
【０１６０】
以上のプロセスにより推奨屈折度が決定されたら、それと同時に選択屈折度を両眼にセットする。そして、その選択屈折度（選択された眼鏡度数または推奨屈折度）の測定結果の表示に赤ラインを付して明示する。以上で、眼鏡装用者に対する確認テストは終了する。
【０１６１】
以下、眼鏡未装用者に対する確認テストの処理について説明する。まず、「裸眼の見え方と、今回お客様にお勧めするメガネの見え方をお見せします。」とアナウンスする。なお、モニター装置６４ｑの表示画面６４ｑ’に、被検者４に見せている測定結果を白ラインまたは白四角でその都度示すようにする。
【０１６２】
「裸眼の見え方を示します。」とアナウンスし、両眼ともＳ、Ｃ値を０Ｄとして被検者４に風景チャート９９を例えば３秒間注視させる。次に、「今回お客様にお勧めするメガネでは、この位見えるようになります。」とアナウンスし、両眼バランステスト結果によるＳ、Ｃ、Ａ値（推奨屈折度）をセットし、風景チャート９９を例えば３秒間注視させる。そして、推奨屈折度を選択屈折度とし、選択屈折度（推奨屈折度）の測定結果の表示に赤ラインを付して明示する。以上で、眼鏡未装用者に対する確認テストは終了する。
【０１６３】
（近用テスト；Ｓ２２）
確認テストが終了すると、近用度数を測定するための近用テストが行われる。近用度数の測定には、図３２に示す近用テストチャート５００が用いられる。まず、「近用テストを行います。近用テストについて説明します。」とアナウンスし、近用テストの方法が音声付きでムービー放映される。これは例えば、近用テストチャート５００についての説明、“同じようにはっきり見える。”状態や“横線がはっきり見え、縦線がぼやけて見える。”状態のデモンストレーション、レバー操作の説明などが放映されるようになっている。
【０１６４】
ムービー放映が終了したら、輻輳角の設定を行う。そのために、まず両眼の視標照明光源をオフとし、近用テストチャート５００に切り換える。そして、クロスシリンダＣＣ±０．５０Ｄを加えた状態にＳ、Ｃ値を変換する。変換式は公知の式による。
【０１６５】
次に、例えば予め行われた本体部５ｌ，５ｒの輻輳などにより求められた近用距離ｄ１ｍｍに対するあおり角度θに輻輳させながら、両眼に次式から求められる年齢に応じた近用テスト初期値Ａｓを加える。なお、次式の（１）および（２）は、年齢ｘに対する調整力Ａｃの一般式で、（１）は５５歳未満の年齢ｘに適用され、（２）は５５歳以上の年齢ｘに適用される。また、次式の（３）は、近用距離ｄ１ｍｍに対する加入度Ａｄ１を算出する式であり、（４）は、近用距離ｄ１と調整力Ａｃと加入度Ａｄ１とから年齢に応じた近用テスト初期値Ａｓを算出する式である。なお、年齢に応じた近用テスト初期値Ａｓの計算例が図３５に示されている。
【０１６６】
【式１】
Ａｃ＝１２．５−０．２ｘ・・・・・・・・・・・・・・・・・・（１）
Ａｃ＝７．０−０．１ｘ・・・・・・・・・・・・・・・・・・・（２）
Ａｄ１＝（１０００／ｄ１）−（Ａｃ）×（１／２）・・・・・・・（３）
Ａｓ＝−｛（１０００／ｄ１）−Ａｄ１｝＝−Ａｃ×（１／２）・・（４）
【０１６７】
年齢に応じた近用テスト初期値Ａｓが加えられたら、両眼の視標照明光源を点灯する。
【０１６８】
次に、「近用テストを行います。レバー（６ｈ）を握って視力検査機を覗いてください。」とアナウンスし、両眼同時にオートアライメントを行う。そして、「縦線と横線は同じように濃く見えますか？同じように濃く見えたら、レバー（６ｈ）のボタン（６ｇ）を押して下さい。横線が濃く見え、縦線が薄く見えたらレバー（６ｈ）を左または右に、縦線が濃く見え、横線が薄く見えたらレバー（６ｈ）を前または後ろに倒してください。」とアナウンスする。
【０１６９】
最初の提示で、ボタン６ｇが押されたら（横線と縦線とが同じように濃く見える。）、上記の式により求められた図３５に示す年齢に応じた近用テスト初期値Ａｓに（１０００／ｄ１）を加えた値を加入度とする。
【０１７０】
また、最初の提示で、レバー６ｈが左または右に倒されたら（横線が濃く見え、縦線が薄く見える。）、両眼に同時に球面度Ｓ＋０．２５Ｄを加える。そして、「縦線と横線は同じように濃く見えますか？同じように濃く見えたら、レバー（６ｈ）のボタン（６ｇ）を押して下さい。横線が濃く見え、縦線が薄く見えたらレバー（６ｈ）を左または右に、縦線が濃く見え、横線が薄く見えたらレバー（６ｈ）を前または後ろに倒してください。」と再びアナウンスする。ここで、再びレバー６ｈが左または右に倒されたら、更に両眼に同時に球面度Ｓ＋０．２５Ｄを加え、「いかがですか？」とアナウンスする。レバー６ｈのボタン６ｇが押されるまで、若しくは、レバー６ｈが前方または後方に倒されるまで、Ｓ＋０．２５Ｄを追加していく。ボタン６ｇが押されたら、または、レバー６ｈが前方または後方に倒されたら、近用テスト初期値Ａｓに（１０００／ｄ１）を加えた値に、レバー６ｈが押されるまで（ボタン６ｇが押された回数をカウントする）、若しくは、レバー６ｈが前方または後方に倒されるまで（前方または後方に倒された回数はカウントしない）に加えた球面度の和を加入度とし、「お客様の近用加入度は、・・・Ｄです。」とアナウンスして近用テストを終了する。
【０１７１】
一方、最初の提示でレバー６ｈが前方または後方に倒されたら（縦線が濃く見え、横線が薄く見える。）、両眼に同時に球面度Ｓ−０．２５Ｄを加える。そして、「縦線と横線は同じように濃く見えますか？同じように濃く見えたら、レバー（６ｈ）のボタン（６ｇ）を押して下さい。横線が濃く見え、縦線が薄く見えたらレバー（６ｈ）を左または右に、縦線が濃く見え、横線が薄く見えたらレバー（６ｈ）を前または後ろに倒してください。」と再びアナウンスする。ここで、再びレバー６ｈが前方または後方に倒されたら、更に両眼に同時に球面度Ｓ−０．２５Ｄを加え、「いかがですか？」とアナウンスする。レバー６ｈのボタン６ｇが押されるまで、若しくは、レバー６ｈが左または右に倒されるまで、Ｓ−０．２５Ｄを追加していく。ボタン６ｇが押されたら、または、レバー６ｈが左または右に倒されたら、近用テスト初期値Ａｓに（１０００／ｄ１）を加えた値に、レバー６ｈが押されるまで（ボタン６ｇが押された回数をカウントする）、若しくは、レバー６ｈが左または右に倒されるまで（前方または後方に倒された回数はカウントしない）に加えた球面度の和を加入度とし、「お客様の近用加入度は、・・・Ｄです。」とアナウンスして近用テストを終了する。
【０１７２】
近用テストが終了したら、両眼に風景チャート９９を提示するとともに、得られた近用加入度をメモリーし、両眼ともクロスシリンダＣＣ±０．５０Ｄを差し引いた状態にＳ、Ｃ、Ａを変換する。
【０１７３】
（近用視力テスト；Ｓ２３）
続いて、近用視力テストが行われる。まず、両眼同時にオートアライメントがなされ、「両眼の近用視力測定を行います。」とアナウンスし、視力値０．５のランドルト環視標および融像枠チャート５３Ｄをセットして両眼に同時に提示する。そして、「視標の切れ目方向にレバー（６ｈ）」を倒してください。」とアナウンスをする。被検者４がランドルト環の切れ目方向と認識する方向にレバー６ｈを倒すと、提示視標とレバー６ｈが倒された方向とが一致しているかどうか判定がなされ、前述のランドルト環による視力測定（図１６に示すＳ６）と同様のプロセスで視力値が決定される。決定された視力値をメモリーし、両眼に風景チャート９９を提示して、近用視力テストを終了する。
【０１７４】
（処方値の決定；Ｓ２４）
近用視力テストが終了したら、最終的な測定結果（処方値）を決定するとともに、「視力測定は全て終了しました。」とアナウンスし、表示画面６４ｑ’に文字表示する。そして、「装置から顔を外し、モニター装置（６４ｑ）をご覧下さい。測定結果はモニター装置（６４ｑ）に表示されます。」とアナウンスし、モニター装置６４ｑに決定された処方値を表示する。最後に、ＰＤを６６ｍｍに戻し、両眼とも風景チャート９９としてイニシャルセットを行ったのち、装置をスリープ状態として終了する。
【０１７５】
以上に説明した構成は、本発明の実施の形態の一例に過ぎないものである。特に、フローチャートを参照して説明した検眼装置の使用方法については、演算制御回路６３による動作制御を司る動作プログラムの構造を適宜変更することによって各種の変形を施すことが可能である。
【０１７６】
【発明の効果】
以上のような構成を備える本発明によれば、クロスシリンダテストに対する被検者の判断能力に疑問がある場合にクロスシリンダレンズの屈折力を変換して、交互に提示される視標の状態の違いをより判別しやすくすることができ、その結果により被検者の上記判断能力を確認することが可能となるので、経験の乏しい検者が検眼を施す場合や検者がいないような場合においても、被検者の判断能力に関わらず高い測定精度で乱視軸角度測定や乱視度数測定を行うことができる。
【０１７７】
また、本発明によれば、クロスシリンダテストに対する被検者の判断能力に疑問がある場合にその判断能力を検証する検証試験を行うことができるので、経験の乏しい検者が検眼を施す場合や検者がいないような場合においても、被検者の判断能力に関わらず高い測定精度で乱視軸角度測定や乱視度数測定を行うことが可能となる。
【図面の簡単な説明】
【図１】本発明の実施の形態の検眼装置の概要を示す説明図である。
【図２】図１に示す検眼装置の外観図である。
【図３】図１に示す検眼装置の光学系を示す図である。
【図４】図３に示す光学系のうち、左眼用の光学系を拡大した図である。
【図５】図４に示す左眼用の光学系の平面図である。
【図６】図３に示す光学系のうち、右眼用の光学系を拡大した図である。
【図７】図６に示す右眼用の光学系の平面図である。
【図８】本発明の実施の形態の検眼装置の制御系を示すブロック図である。
【図９】本発明の実施の形態の検眼装置とレンズメーターとの接続態様を示す図であって、図９（ａ）はレンズメーターを検眼装置の近傍に配設してＲＳ２３２Ｃケーブルを介してモニター装置に接続した状態を示す説明図、図９（ｂ）はレンズメーターを検眼装置から遠くに置いてレンズメーターと検眼装置とをＲＳ２３２Ｃケーブルを介してモニター装置に接続した状態を示す図、図９（ｃ）は検眼装置とモニター装置とを複数台設置し、レンズメーターをＬＡＮを介してモニター装置に接続した状態を示す図である。
【図１０】図９に示すレンズメーターの外観図である。
【図１１】図３に示す光学系に含まれるロータリープリズムの構成を示す図である。
【図１２】図３に示す光学系により提示されるチャートの一例を示す図である。
【図１３】図３に示す光学系に含まれるクロスシリンダレンズの構成を示す図である。
【図１４】図３に示す光学系により提示されるチャートの一例を示す図である。
【図１５】図３に示す光学系により提示されるチャートの一例を示す図である。
【図１６】図１に示す検眼装置による測定処理の全体の流れを示すフローチャートである。
【図１７】図３に示す光学系により提示されるチャートの一例を示す図である。図１７（ａ）は右眼に提示されるチャートを示し、図１７（ｂ）は左眼に提示されるチャートを示し、図１７（ｃ）は両眼視により融像された状態を示す図である。
【図１８】図１に示す検眼装置による測定処理の流れを示すフローチャートである。
【図１９】図１に示す検眼装置による測定処理の流れを示すフローチャートである。
【図２０】図１に示す検眼装置による測定処理の流れを示すフローチャートである。
【図２１】図１に示す検眼装置による測定処理の流れを示すフローチャートである。
【図２２】図１に示す検眼装置による測定処理の流れを示すフローチャートである。
【図２３】図１に示す検眼装置による測定処理の流れを示すフローチャートである。
【図２４】図１に示す検眼装置による測定処理の流れを示すフローチャートである。
【図２５】図３に示す光学系により提示されるチャートの一例を示す図である。
【図２６】図３に示す光学系により提示されるチャートの一例を示す図である。
【図２７】図１に示す検眼装置による測定処理の流れを示すフローチャートである。
【図２８】図１に示す検眼装置による測定処理の流れを示すフローチャートである。
【図２９】図１に示す検眼装置による測定処理の流れを示すフローチャートである。
【図３０】図１に示す検眼装置による測定処理の流れを示すフローチャートである。
【図３１】図１に示す検眼装置による測定処理の流れを示すフローチャートである。
【図３２】図３に示す光学系により提示されるチャートの一例を示す図である。
【図３３】図１に示す検眼装置により行われるクロスシリンダテストにおいて参照されるデータを示した図である。
【図３４】図１に示す検眼装置により行われるクロスシリンダテストにおいて参照されるデータを示した図である。
【図３５】図１に示す検眼装置により行われる近用テストにおいて参照されるデータを示した図である。
【符号の説明】
２  検眼装置
４  被検者
５ｌ、５ｒ  本体部
６ｇ  ボタン
６ｈ  ジョイスティックレバー（レバー）
５９Ａ、５９Ｂ  クロスシリンダレンズ
９９  風景チャート
１００  レッド・グリーンチャート
３００  クロスシリンダドットチャート
４００  イラストチャート
【図１】
2004275591.tif 000003
【図２】
2004275591.tif 000004
【図３】
2004275591.tif 000005
【図４】
2004275591.tif 000006
【図５】
2004275591.tif 000007
【図６】
2004275591.tif 000008
【図７】
2004275591.tif 000009
【図８】
2004275591.tif 000010
【図９】
2004275591.tif 000011
【図１０】
2004275591.tif 000012
【図１１】
2004275591.tif 000013
【図１２】
2004275591.tif 000014
【図１３】
2004275591.tif 000015
【図１４】
2004275591.tif 000016
【図１５】
2004275591.tif 000017
【図１６】
2004275591.tif 000018
【図１７】
2004275591.tif 000019
【図１８】
2004275591.tif 000020
【図１９】
2004275591.tif 000021
【図２０】
2004275591.tif 000022
【図２１】
2004275591.tif 000023
【図２２】
2004275591.tif 000024
【図２３】
2004275591.tif 000025
【図２４】
2004275591.tif 000026
【図２５】
2004275591.tif 000027
【図２６】
2004275591.tif 000028
【図２７】
2004275591.tif 000029
【図２８】
2004275591.tif 000030
【図２９】
2004275591.tif 000031
【図３０】
2004275591.tif 000032
【図３１】
2004275591.tif 000033
【図３２】
2004275591.tif 000034
【図３３】
2004275591.tif 000035
【図３４】
2004275591.tif 000036
【図３５】
2004275591.tif 000037